(57)【要約】【課題】  正面から見た印象に強いインパクトを与えることができる弾球遊技機を提供する。【解決手段】  透明板保持枠１３０の遊技開口１３３を遊技盤２２０の遊技領域２２９の外周形状に沿った形状にすると共に、該透明板保持枠１３０の遊技開口１３３の下部左右の両方に証明用シールを透視し得る窓１４０ａ，１４０ｂを形成したので、従来の画一した正方形状の正面形状と大幅に異なる印象を遊技者に与えることができ、窓１４０ａ，１４０ｂを介して証明シールを視認することができる。【選択図】        図１
2007105505.tif 000002
【特許請求の範囲】
【請求項１】
遊技盤の遊技領域を透視し得る遊技開口を有すると共に該遊技開口に対応して透明板を装着可能とする透明板保持枠を枠基体に対して開閉自在に設けた弾球遊技機において、
前記透明板保持枠の前記遊技開口を前記遊技領域の外周形状に沿った形状として構成すると共に、該遊技開口の下部左右の一方又は両方に前記遊技盤の下部に配置される証明手段を透視し得る窓を形成したことを特徴とする弾球遊技機。
【請求項２】
前記窓は、透明板保持枠に一体的に形成されていることを特徴とする請求項１記載の弾球遊技機。
【発明の詳細な説明】
【技術分野】
【０００１】
本発明は、遊技盤の遊技領域を透視し得る遊技開口を有すると共に該遊技開口に対応して透明板を装着可能とする透明板保持枠を枠基体に対して開閉自在に設けた弾球遊技機に関するものである。
【背景技術】
【０００２】
従来、遊技盤の遊技領域を透視し得る遊技開口を有し、該遊技開口に対応して透明板（例えば、ガラス板）を装着することが可能な透明板保持枠としては、額縁状に形成された木製の前面枠の開口周縁に固定されるほぼ正方形状の金属製の扉保持枠（俗に「金枠」と称されている）に開閉自在に取付けられる金属製のガラス扉保持枠が唯一市場に提供されていた。このガラス扉保持枠は、正面から見てクロムメッキを施した正方形状の枠組みが視認され得るのみで、その形状及び態様は、過去４０年以上に亘って変化していなかった。
【発明の開示】
【発明が解決しようとする課題】
【０００３】
このため、弾球遊技機にとって最も遊技者の注目を集める遊技盤正面部分の形状が正方形であり、他の正面部品に工夫を凝らして装飾効果を高めようとしても、弾球遊技機の正面から見た印象度に大きなインパクトを与えることができず、装飾効果の向上を図るという点でいまひとつ物足りないという問題があった。本発明は、上記した事情に鑑みなされたもので、その目的とするところは、弾球遊技機の正面から見た印象に強いインパクトを与えることができる弾球遊技機を提供することにある。
【課題を解決するための手段】
【０００４】
上記した目的を達成するために、本発明においては、
遊技盤の遊技領域を透視し得る遊技開口を有すると共に該遊技開口に対応して透明板を装着可能とする透明板保持枠を枠基体に対して開閉自在に設けた弾球遊技機において、
前記透明板保持枠の前記遊技開口を前記遊技領域の外周形状に沿った形状として構成すると共に、該遊技開口の下部左右の一方又は両方に前記遊技盤の下部に配置される証明手段を透視し得る窓を形成したことを特徴とするものである。
【０００５】
前記窓は、遊技盤の下部左右前方が透明板保持枠に対応するときには、透明板保持枠に前記窓を形成し、遊技盤の下部左右前方が透明板保持枠の下部に設けられる上皿取付板に対応するときには、上皿取付板に前記窓を形成すれば良い。
【発明の効果】
【０００６】
透明板保持枠の遊技開口を遊技盤の遊技領域の外周形状に沿った形状として構成したので、従来の画一した正方形状の正面形状と大幅に異なる印象を遊技者に与えることができる。また、遊技盤の下方には、一般的に証明用手段が配置されているが、その証明用手段は、弾球遊技機の正面から視認し得るようにする必要があり、上記のように透明板保持枠を遊技領域の外周形状に沿った形状とした場合に、証明手段が正面から視認できなくなるが、本発明においては、遊技開口の下部左右の一方又は両方に証明手段を透視し得る窓が形成されているので、上記のような証明手段が視認できないということはない。
【発明を実施するための最良の形態】
【０００７】
以下、図面を参照して、本発明の実施例について説明する。本実施例の要部を構成する弾球遊技機１の構成について図１乃至図１９を参照して説明する。図１は、弾球遊技機１の正面図であり、図２は、弾球遊技機１の主要構成部材である枠基体１０の分解斜視図であり、図３は、透明板保持枠１３０を枠基体１０に取付けた状態での透明板保持枠１３０を開放した状態を示す弾球遊技機１の斜視図であり、図４は、上皿４０の分解斜視図であり、図５は、上皿４０を構成する皿部材６０の分解斜視図であり、図６は、下皿１００及び灰皿１１４の分解斜視図であり、図７は、灰皿１１４部分であって図１のＡ−Ａ線矢視断面図であり、図８（Ａ）（Ｂ）は、各々、灰皿１１４の回転動作を示す説明図であり、図９は、透明板保持枠１３０の正面から見た分解斜視図であり、図１０は、透明板保持枠１３０の正面図であり、図１１は、透明板保持枠１３０の背面図であり、図１２は、遊技盤２２０及び機構板１８０を取付けた状態での枠基体１０の背面図であり、図１３は、図１のＢ−Ｂ線矢視断面図であり、図１４は、図１のＣ−Ｃ線矢視断面図であり、図１５は、図１のＤ−Ｄ線矢視断面図であり、図１６は、遊技盤２２０の正面図であり、図１７は、遊技盤２２０に設けられる可変入賞球装置２４０の正面から見た斜視図であり、図１８は、可変入賞球装置２４０の正面図であり、図１９は、可変入賞球装置２４０の中央部分での断面図である。
【０００８】
（イ）弾球遊技機の全体構造
本実施例における弾球遊技機１としては、弾発された打玉が遊技盤２２０に形成された入賞口や入賞球装置に入賞した入賞玉に基づいて所定個数の景品玉を払い出す形式のパチンコ遊技機を図示したものであるが、弾発された打玉が遊技盤に設けられる複数の入球口に入球して、その入球口の組合せによって得点が与えられ、その得点に応じた景品玉が払い出される形式の弾球遊技機（属にアレンジ遊技機と称される）であってもよい。しかして、弾球遊技機１は、図３に示すように、縦長な方形状に枠組み形成される外枠２と、該外枠２の一側に開閉自在に軸支され且つ弾球遊技機１の主要構成部のほぼすべてが集約して設けられる枠基体１０と、該枠基体１０の前面上部に開閉自在に設けられ且つ本実施例の要部を構成する透明板保持枠１３０とから構成されている。また、枠基体１に設けられる主要構成部としては、上皿４０、灰皿１１４を含む下皿１００、ハンドル装置１２０、機構板１８０、打球発射装置２００、錠装置２１０、遊技盤２２０がある。また、図示の実施例では、弾球遊技機１の側方にカードユニット２８０が付設されている。以下、各構成毎に順次説明する。
【０００９】
（ロ）外枠
外枠２は、木製の板材を枠組み構成することにより形成され、その一側上下に固着される軸支用金具３ａ，３ｂに枠基体１０が開閉自在に軸支される。なお、下部の軸支用金具３ｂは、次に説明する当て板４の上部に固着される。また、外枠２の下部前面には、閉じたときに枠基体１０の下辺部を載置する当て板４が固定されている。この当て板４は、図２に示すように、その中央部に前方突出面４ａが形成されており、左右の各凹面４ｂ，４ｃには、それぞれカバー部材５ａ，５ｂがビス止め固定されるようになっている。更に、外枠２の開放側の内側上下には、後に詳述する錠装置２１０と係脱して枠基体１０を閉じたり開放したりするための係止金具６ａ，６ｂ（図３参照）が固着されている。この係止金具６ａ，６ｂと錠装置２１０との関係については、後に詳述する。なお、当て板４を含む外枠２を木製の板材ではなく、合成樹脂によって一体成形又は別体に成形して組み立てて構成しても良い。
【００１０】
（ハ）枠基体
上記した外枠２に開閉自在に取付けられる枠基体１０は、合成樹脂によって一体成形されるものであり、図２に示すように、その上部にほぼ正方形状の開口部１１が形成され、その下部が板状となっている。つまり、枠基体１０は、従来の合板によって形成された前面枠とほぼ同等のものであるが、従来の前面枠と相違する点は、枠基体１０の裏面であって遊技盤２２０を収納固定する遊技盤収納枠１２（図２及び図１４参照）が枠基体１０と一体的に形成されている点である。即ち、従来の前面枠と遊技盤収納枠との関係においては、木製の前面枠の裏面に合成樹脂製の遊技盤収納枠を固着しているのに対し、本実施例における枠基体１０は、前面枠に相当する部分も合成樹脂で形成されているので、遊技盤収納枠１２を含む全体を合成樹脂によって一体成形したものであり、これによって工場における組付け作業の簡略化を達成することができるものである。
【００１１】
ところで、上記遊技盤収納枠１２の下方部分も、図２に示すように、板状に形成されており、その一側上部に上皿連通口１３が形成され、該上皿連通口１３の下部前方に溢れ玉誘導部材１４が取着される。溢れ玉誘導部材１４の下流側前方には、抜き玉連通口１５が形成されている。この抜き玉連通口１５は、後述する上皿４０に貯留されていた玉であって玉抜きされた玉が溢れ玉誘導部材１４の内部に流入するための流入口である。また、溢れ玉誘導部材１４は、上皿４０を開放したときに前記上皿連通口１３から溢れた玉や抜き玉連通口１５から流入した玉を遊技盤収納枠１２の下方の板状部分のほぼ中央に形成された下皿誘導口（図示しない）から裏面側に導いて後述する接続樋１９１（図１２参照）を介して後述する下皿１００に導くものである。
【００１２】
また、遊技盤収納枠１２の下方の板状部分の前面であって前記溢れ玉誘導部材１４の側方には、発射点レール１６が固着されている。この発射点レール１６は、上皿４０から１個宛供給される打玉を下流端に形成される発射点で受け止めて後述する打球発射装置２００の打球槌２０２で弾発するために設けられるものである。そして、発射点レール１６の上流端と遊技盤２２０に設けられる誘導レール２２８の下流端との間にファール口が形成され、遊技盤２２０の遊技領域２２９に到達することなく戻ってきた打玉がファール口から前記溢れ玉誘導部材１４に受け入れられて最終的に下皿１００に導かれるものである。
【００１３】
一方、図２に示すように、枠基体１０の左右の両端側には、それぞれ検出器取付穴１７，１８が貫通形成されている。この検出器取付穴１７，１８は、その裏面から検出器を取付けるものであり、図示の実施例では、軸支側に形成される検出器取付穴１７には、図２に示すように検出器１９のアクチュエータが前面側に突出しており、透明板保持枠１３０を開放したときに検出器１９が開放状態を検出し、遊技機本体もしくはホールコンピュータに検出信号を出力するようになっている。また、開放側に形成される検出器取付穴１８には、図示の実施例では検出器が設けられていないが、設けるとすれば、例えば、透明板保持枠１３０を僅かに開放してセル板やピアノ線等の不正具を挿入する不正行為を検出するための不正開放検出器等が考えられる。
【００１４】
更に、枠基体１０の前面枠部分の開口部１１に対応する部分には、軸支側下部に配線通し穴２０（図２参照）、開放側上下にフック連通穴２１ａ，２１ｂ、軸支側中程に干渉回避凹部２２、軸支側の中程上下にヒンジ取付凹部２３，２４（図２参照）、開放側の中程よりやや下方に錠穴２５（図２参照）がそれぞれ形成されている。配線通し穴２０は、透明板保持枠１３０に設けられる後述する電装部品から延びる配線を枠基体１０の裏面側に通すものである。また、フック連通穴２１ａ，２１ｂは、透明板保持枠１３０の開放側に設けられる補強金具１４９の錠フック１４９ａ（後に詳述する）を後方に貫通させて錠装置２１０の係合開口と係合させるものである。干渉回避凹部２２は、透明板保持枠１３０を閉じたときにランプ基板１６０を裏面側から被覆する円弧状の基板カバー１６９の一部との当接状態を回避するためのものであり、このため、干渉回避凹部２２は、円弧状に刻設されている。また、錠穴２５には、錠装置２１０のシリンダー錠２１２が挿入されるものである。
【００１５】
（ニ）枠基体への透明板保持枠及び上皿の取付構造
また、前記ヒンジ取付凹部２３，２４は、それぞれ金属製のヒンジ部材２６，２７を止着する領域である。ヒンジ取付凹部２３（以下、中ヒンジ取付凹部２３という）に止着されるヒンジ部材２６（以下、中ヒンジ部材２６という）は、Ｌ字型に形成され、その水平面にヒンジピン２８が上下に貫通するように固着されている。ヒンジ取付凹部２４（以下、下ヒンジ取付凹部２４という）に止着されるヒンジ部材２７（以下、下ヒンジ部材２７という）は、Ｌ字型に形成され、その水平面に係合穴２７ａ（図２参照）が形成されている。また、枠基体１０の軸支側上部にもヒンジ部材２９（以下、上ヒンジ部材２９という）が止着されるが、この上ヒンジ部材２９は、枠基体１０の裏面側から止着されるようになっている。また、上ヒンジ部材２９は、枠基体１０の前面に当接し且つ係合穴３０ａを有するヒンジ支持部３０と、枠基体１０に対して垂直方向に突設される水平面の下方に向かって突設されるヒンジピン３１と、を備えて構成されるものである。      
【００１６】
上記したヒンジ部材２６，２７，２９には、透明板保持枠１３０と上皿４０が取着される上皿取付板４１とが開閉自在且つ着脱自在に取付けられるものである。具体的には、まず、透明板保持枠１３０の着脱構造について説明すると、図２に示すように、透明板保持枠１３０の軸支側上端には、ヒンジピン１４６が後述するスプリング１４７の付勢力により上方に付勢されており、また、軸支側下端裏面には、係合穴１４８ａを有するヒンジ金具１４８がビスで止着されている。しかして、下部のヒンジ金具１４８の係合穴１４８ａに中ヒンジ部材２６のヒンジピン２８の上部突設側に差し込んだ状態で上端のヒンジピン１４６を付勢力に抗して押し下げてヒンジ支持部３０の係合穴３０ａに差し込むことにより、透明板保持枠１３０が枠基体１０に開閉自在に軸支される。逆に、透明板保持枠１３０を取り外す場合には、ヒンジピン１４６を押し下げて係合穴３０ａからヒンジピン１４６を抜き出した後に全体を持ち上げて係合穴１４８ａをヒンジピン２８から外すことにより簡単に行うことができる。なお、透明板保持枠１３０の開閉動作については、後に詳述する。
【００１７】
次に、上皿４０の上皿取付板４１の着脱構造について説明すると、図２に示すように、上皿取付板４１は、その軸支側上端に支点穴４２が設けられる一方、軸支側下端には、後述するカバー部材５０の支点穴５１が設けられている。しかして、上端の支点穴４２を中ヒンジ部材２６のヒンジピン２８の下部突設側に差し込み、その状態で下部の支点穴５１と下ヒンジ部材２７の係合穴２７ａとに図示しないスプリングで付勢されるヒンジピンを差し込むことで、上皿４０の上皿取付板４１が枠基体１０に開閉自在に軸支される。逆に、上皿取付板４１を取り外す場合には、支点穴５１と下ヒンジ部材２７の係合穴２７ａとに差し込まれたヒンジピンを抜き取り、その後、全体を下方に引き下げてヒンジピン２８から支点穴４２を引き抜くことにより簡単に行うことができる。
【００１８】
このように、透明板保持枠１３０や上皿４０の上皿取付板４１を枠基体１０に対して開閉自在であり且つ着脱自在に設けたので、弾球遊技機１の工場における組付け作業や遊技場における点検作業時を簡単に行うことができる。特に、本実施例のように、透明板保持枠１３０に電装部品を備えたものにあっては、電装部品等の故障に基づく修理，交換が必要となることが予想され、そのように予想される場合において、従来の透明板保持枠（ガラス板保持枠）が着脱できない構造のものに比べて、透明板保持枠１３０を取り外すことができるので、修理，交換を簡単に行うことができる。
【００１９】
（ホ）上皿
ここで、枠基体１０の下部で開閉自在に取り付けられる上皿４０の構成について図４及び図５を参照して説明すると、上皿４０は、合成樹脂製の上皿取付板４１の表面に合成樹脂製の皿部材６０と各カバー部材５０，５３とを固着することにより構成されている。上皿取付板４１には、軸支側上端の前記支点穴４２に加えて、各種構成部材６０，５０，５３の取付穴４３と、皿部材６０の配線９８，７５を弾球遊技機１側に接続するための配線挿通穴４４と、軸支側に形成されて皿部材６０の貯留部６２に景品玉又は購入した遊技玉を排出させる景品玉排出口４５と、玉抜きされた景品玉を前記抜き玉連通口１５に導く玉抜き穴４９と、図示しない打球供給装置が取り付けられる打球供給装置取付穴４７と、が穿設されると共に、開放側の上端に玉抜き操作レバー４６が設けられ、更に、皿部材６０を止着するための取付ボス４８が突設されている。前記玉抜き操作レバー４６は、左右方向に移動可能に設けられ、図示しないスプリングの付勢力に抗して一方向に移動させることにより、前記貯留部６２から連続する整列路６３の下流端に設けられる玉抜き弁６５（図５参照）を開放して貯留部６２に貯留されていた玉を上皿取付板４１の裏面に形成される玉抜き路６６（図５参照）を流下させて前記抜き玉連通口１５に導き、最終的に下皿１００に誘導するものである。なお、景品玉排出口４５は、上皿取付板４１を閉じたときに前記上皿連通口１３と連通するようになっている。
【００２０】
一方、皿部材６０は、図５に示すように、貯留部６２が形成される皿主体６１と、該皿主体６１の前方を覆う前方カバー部材８２と、該前方カバー部材８２の下部から後方に向かって前記皿主体６１との間に空間を構成する底カバー部材７９と、前記皿主体６１の下流側上面と前方カバー部材８２とに挾持される操作透視板８７と、からなる複数の部材を組み立てた状態で上皿取付板４１の表面に一体として取着固定されているものである。より詳細には、前記皿主体６１は、その上流側が多数の景品玉を貯留し得る貯留部６２となっており、その下流側は、貯留部６２に連続して景品玉を一列に整列しながら図示しない打球供給装置に送る整列路６３となっている。整列路６３の下流端直前には、玉抜き口６４が形成され、通常の状態では、該玉抜き口６４が玉抜き弁６５によって閉塞されており、前記玉抜き操作レバー４６を操作したときに玉抜き弁６５が前記整列路６３の下方に隠れるようにスライドして玉抜き口６４が開放される。すると、貯留部６２に貯留されていた景品玉は、玉抜き口６４から整列路６３の下方に形成される玉抜き路６６を通って前記玉抜き穴４９から抜き玉連通口１５に誘導され、最終的に下皿１００に誘導される。
【００２１】
また、皿主体６１には、貯留部６２の裏面にフラット玉検出器６７を着脱自在に取り付ける取付部６８が形成されると共に、前記玉抜き路６６の下方に圧電ブザー７０が装着されるブザー取付基板６９を止着するための取付突起７１と取付穴７２とが形成されている。まず、前記フラット玉検出器６７は、貯留部６２に貯留される景品玉の残留量を検出するためにものであり、後述する自動玉貸選択スイッチ９４が操作されている状態でフラット玉検出器６７が景品玉を検出しなくなったときに、後述するカードユニット２８０に投入されているカードに残額情報が記録されていることを条件として、その残額の範囲内で所定数の遊技玉を自動的に貯留部６２に貸し出すために設けられているものである。また、ブザー取付基板６９に形成される挿入穴７３に前記取付突起７１を挿入し、同じくブザー取付基板６９に形成される取付穴７４を前記取付穴７２に対応させた状態でビス７６を螺着することにより、簡単に圧電ブザー７０を皿主体６１に取り付けることができるが、その取り付けた状態では、圧電ブザー７０は、皿主体６１と底カバー部材７９とによって形成される空間内に位置することとなり、底カバー部材７９に形成される後述する音声透過穴８０を介して圧電ブザー７０から発せられる音を遊技者に明確に知らせることができる。なお、この圧電ブザー７０の音は、遊技玉の貸出異常が生じたとき（例えば、ピッ、ピッ、ピッという連続音）、あるいは遊技玉の貸出時（例えば、１００円相当の遊技玉が払い出される毎にピーという音）に、その旨を報知する報知音が発生されるものである。また、ブザー取付基板６９の裏面からは、配線７５が引き出されている。
【００２２】
更に、皿主体６１には、前記玉抜き口６４よりも下流側に供給口７７が形成され、該供給口７７が前記打球供給装置取付穴４７に臨んで図示しない打球供給装置に連通するものである。また、皿主体６１の左右両端には、前方カバー部材８２に組み付けるための組付穴７８が形成されている。
【００２３】
上記した皿主体６１の下方を覆う底カバー部材７９は、楕円形の皿状に形成され、そのほぼ中央に前述した音声透過穴８０が形成されている。また、底カバー部材７９の前方は起立しており、その起立部分に後方に向かって複数の取付ボス８１が突設されている。この取付ボス８１は、前方カバー部材８２の下部に突設される組付ボス８４に前方から嵌入されてビスで止着することにより、底カバー部材７９と前方カバー部材８２とを組付け固定するものである。
【００２４】
上記した皿主体６１及び底カバー部材７９によって形成される空間の前方部分を覆う前方カバー部材８２は、その上面端縁が前記皿主体６１の上端縁形状にほぼ沿って形成され、その下面端縁が底カバー部材７９の前方形状に沿うように形成されている。しかして、前方カバー部材８２の下端には、前述した底カバー部材７９の取付ボス８１と嵌合組付けられる複数の組付ボス８４が突設され、その左右端部には、前記皿主体６１の組付穴７８に対応してビスで止着される組付ボス８５が突設され、更に、皿部材６０全体を上皿取付板４１の取付穴４３に止着するための取着ボス８６が突設されている。また、前方カバー部材８２の下流側には、操作透視板８７を係止装着するための係止片８３が形成されている。
【００２５】
皿主体６１の下流側上面と前方カバー部材８２とに挾持される操作透視板８７は、後述するカードユニット２８０に関連する操作手段が設けられるものである。具体的には、操作透視板８７は、発光源（具体的には残高表示器９７）を視認し得る程度の半透明状の合成樹脂によって形成され、その上面に自動玉貸選択ボタン８８と玉貸ボタン８９と返却ボタン９０とが設けられ、その裏面に突設される取付ボス９１にスイッチ基板９３がビス９９によって止着されている。スイッチ基板９３には、自動玉貸選択ボタン８８に対応する位置に自動玉貸選択スイッチ９４が実装され、玉貸ボタン８９に対応する位置に玉貸スイッチ９５が実装され、返却ボタン９０に対応する位置に返却スイッチ９６が実装され、また、自動玉貸選択スイッチ９４と玉貸スイッチ９５との間に複数の７セグメントＬＥＤからなる残高表示器９７が実装され、その裏面に上記各電気部品の配線９８が接続されている。そして、上記したスイッチ基板９３が取り付けられた状態で操作透視板８７の上端一側に形成される係合溝９２ａを皿主体６１の下流側に形成される係合突起（図示しない）に挿入した後、操作透視板８７の上端他側に形成される係合片９２を前記係合片８３に係合することにより、操作透視板８７を皿主体６１と前方カバー部材８２との間に挾持固定することができる。
【００２６】
上記した操作透視板８７に設けられる電気部品の動作について説明すると、遊技者が自動玉貸選択ボタン８８を操作して自動玉貸選択スイッチ９４をＯＮしたとき（このとき該ボタン８８が点灯するように構成することが望ましい）、前述したように前記フラット玉検出器６７が景品玉を検出しなくなったときに、カードユニット２８０に投入されているカードに残額情報が記録されていることを条件として、その残額の範囲内で所定数毎の遊技玉を自動的に貯留部６２に貸し出すように制御されるため、貯留部６２に残留している玉数を気にすることなく遊技に集中することができる。また、遊技者が玉貸ボタン８９を操作して玉貸スイッチ９５をＯＮしたとき、カードユニット２８０に投入されているカードに残額情報が記録されていることを条件として、その残額の範囲内で所定数の遊技玉（例えば、３００円分に対応する玉数；ただし、この貸出額を任意に変更設定できるようにしても良い）を貯留部６２に貸し出すように制御される。更に、遊技者が返却ボタン９０を操作して返却スイッチ９６をＯＮしたとき、カードユニット２８０に投入されているカードが返却されるように制御される。また、残高表示器９７には、カードユニット２８０にカードを投入している状態においてカードに記録されている残高が表示されるようになっている。
【００２７】
上記のように操作透視板８７において遊技玉の貸出操作を行うことができるが、カードユニット２８０からの貸出指令があったにも拘らず遊技玉の貸出動作が行われなかったときや遊技玉の貸出動作が行われたときには、前記圧電ブザー７０からそれぞれの状態に応じた報知音が発生される。そして、本実施例においては、その報知音が上皿４０の皿部材６０内に収納される圧電ブザー７０から発生され、それ以外の遊技の進行に関係する効果音は、圧電ブザー７０から離れた位置となっている後述する透明板保持枠１３０の上部両端に設けられるスピーカ１５５から発生されるので、圧電ブザー７０から報知される報知音とスピーカ１５５から効果音とを明確に聞き分けることができ、報知音が効果音によってかき消されることがなく、遊技玉の貸出に対する正確な状態を把握することができる。なお、圧電ブザー７０から発せられる音（報知音）は、遊技者に注意を喚起するためのものであるため、楽音ではない音が発せられるが、これをスピーカで構成して楽音又は音声で報知するようにしても良い。
【００２８】
図４に戻って、上皿取付板４１の左右に取り付けられるカバー部材５０，５３は、各々、裏面に突設された取付ボス５２，５４が上皿取付板４１の取付穴４３に係合して裏面からビスで止着されることで、皿部材６０の左右両側に取付け固定されるようになっている。なお、カバー部材５３の開放側端部には、前記錠穴２５と連通する錠穴５６が穿設されたカバー部材５５がその裏面に突設された取付ボス５７によって前記枠基体１０に直接取り付け固定されている。
【００２９】
また、皿部材６０の左右両側に取付けられる各カバー部材５０，５３，５５は、上皿取付板４１の前面に配されて遊技客の不正行為を防止すると共に、弾球遊技機１を正面から見たときに透明板保持枠１３０と上皿取付板４１とを明瞭に区別させない意匠にて形成されることで、装飾的に弾球遊技機１の全体が統一化された印象を与えるようになっている。
【００３０】
また、上皿取付板４１の開放側裏面には、枠基体１０に対して上皿取付板４１を施錠する錠装置５８が設けられている。この錠装置５８は、上皿取付板４１に止着される錠基体５８ｅ（図１５参照）と、該錠基体５８ｅに対して上下動可能に取付けられた可動部材５９ａと、該可動部材５８ａを常時上方に付勢するスプリング５８ｄ（図１５参照）と、を備えており、可動部材５８ａには、その上端に施錠解除用の押圧操作部５８ｂ（図４参照）が形成される一方、下端には枠基体１０側に設けられた係止片５９（図１５参照）と係合する係合爪５８ｃ（図１２参照）が形成されている。なお、錠装置５８の前面側は、前述のように上皿取付板４１とカバー部材５３との二重基板の構造をなしており、タバコやライター等の発熱具による穴空けを防止して、錠装置５８に対する不正操作を防止し得るようになっている。
【００３１】
（ヘ）下皿
枠基体１０の前面枠部分の下方部分は、図２に示すように、板状に形成されており、その前面のほぼ全域に係合凹部３２が刻設されている。この係合凹部３２は、後に詳述する下皿１００やハンドル装置１２０を組付け固定する際に一応の位置決めを行うものであり、組付け作業の容易化を図ることができるものである。また、係合凹部３２には、そのほぼ中央に下皿連通口３３が、その開放側よりの側部にハンドル作動開口３４がそれぞれ開設形成されている。下皿連通口３３には、これに対応して開口部３５ａを備えたカバー部材３５と下皿１００とが取付けられるが、その下皿１００は、複数の部材を組み立てた状態でセット化されて枠基体１０の下部中央に止着固定されているものである。以下、下皿１００の構成について説明する。
【００３２】
下皿１００は、図６に示すように、下皿基体１０１と、該下皿基体１０１に取付けられて前記下皿連通口３３から流下する玉を貯留する玉受部材１０６と、該玉受部材１０６から貯留玉を抜き取る玉抜き装置１０９と、を備えている。下皿基体１０１には、その裏面側に取付ネジ１０２が後方に向けて複数本設けられており、その取付ネジ１０２を枠基体１０側の取付穴３６（図２参照）にナット止めすることで下皿１００が枠基体１０に取付け固定されるようになっている。なお、下皿基体１０１の下端面には、後方に向けて位置決め凸部１０３が突設されており、この位置決め凸部１０３を枠基体１０側の位置決め穴３７（図２参照）に差し込むことで、下皿連通口３３と玉受部材１０６との接続状態を確実に確保すると共に下皿１００の取付作業の容易化を招来している。
【００３３】
また、下皿基体１０１の前面壁には、レバー操作穴１０４が穿設されると共にその裏面側の上下２箇所にレバーガイド１０５が設けられて、玉抜き装置１０９を構成する玉抜き操作レバー１１０がスライド可能に取付けられるようになっている。一方、玉受部材１０６には、該玉受部材１０６を下皿基体１０１にビス止めするための取付穴１０７が穿設されると共に、下面に玉抜き穴１０８が開設されており、この玉抜き穴１０８には、玉抜き装置１０９が臨設されている。玉抜き装置１０９は、前記玉抜き穴１０８を開閉する開閉蓋１１１と、該開閉蓋１１１を摺動自在に収納し且つ前記玉抜き穴１０８に対応する玉抜き穴１１３ａが形成されたカバー部材１１３と、から構成され、開閉蓋１１１は、カバー部材１１３内に収納支持されるスプリング１１２によって常に玉抜き穴１１３ａとの間に挿入された状態に付勢されている。開閉蓋１１１は、その前面側に突設される係合凸部１１１ａが前記玉抜き操作レバー１１０の下部中央に突設される係合凸部１１０ａに係合され、スプリング１１２の付勢力に抗して玉抜き操作レバー１１０が一方向に移動されることで、一連の玉抜き穴１０８，１１３ａを連通して、玉受部材１０６に貯留される打玉を下方（通常、玉箱が設置される）に落下せしめるようになっている。なお、玉抜き装置１０９は、玉受部材１０６の下面から突設される取付ボス１０６ｂにビスで止着されることにより取付けられている。このように、図示の実施例においては、玉抜き操作レバー１１０を下皿１００の前面壁の中央に内蔵して設けたので、従来のように操作レバーを下皿の底面に沿って設けたものに比較して外部からのイタズラによって故障せしめられることが少なくなるという利点がある。
【００３４】
（ト）灰皿
また、上記下皿１００の下皿基体１０１には、図６に示すように、前記玉受部材１０６の隣接位置に灰皿取付部１０１ａが切欠形成されており、該灰皿取付部１０１ａには、熱硬化性樹脂からなる灰皿１１４がカバー部材１１６を介して取付けられるようになっている。カバー部材１１６は、灰皿１１４側のビス止めボス１１５を介して灰皿１１４と一体的に取付け固定されており、その前面形状は、下皿基体１０１の前面形状と連続的な意匠をなしている。また、カバー部材１１６の左右両端には、後方に向かって取付突片１１７が形成されており、該取付突片１１７には、縦長形状の係合穴１１８が穿設されている。そして、この係合穴１１８が下皿基体１０１及び玉受部材１０６に突設された係合凸部１０１ｂ，１０６ａに係合されることで、図７に示す状態で灰皿１１４が下皿基体１０１に取付けられる。なお、このような係合穴１１８と係合凸部１０１ｂ，１０６ａとの係合は、灰皿１１４を下皿基体１０１から引き上げた状態でのみ灰皿１１４の完全回動を可能にするものである。
【００３５】
即ち、図７に示すように、灰皿１１４が下皿基体１０１にセットされた状態で灰皿１１４を回転させた場合では、カバー部材１１６の下面後端部１１６ａと下皿基体１０１の下面前端部１０１ｃとの間隔Ｌ１分しか回転しないのに対して、図８（Ａ）に示すように、灰皿１１４を下皿基体１０１から引き上げた状態では、カバー部材１１６の下面後端部１１６ａは下皿基体１０１の下面前端部１０１ｃに当接することがないので、図８（Ｂ）に示すように、灰皿１１４を完全に回転させることができる。このように、本実施例では、灰皿１１４を下皿基体１０１から引き上げた状態でのみ灰皿１１４の完全回動を可能にすることで、誤って灰皿１１４を回転せしめることがなく、吸い殻等のゴミＧが遊技者の不注意により灰皿１１４から落ちることを回避している。また、灰皿１１４を取付けた下皿基体１０１の左側方には、図２に示すように、カバー部材１１９が前記枠基体１０に取付け固定されている。
【００３６】
（チ）ハンドル装置
また、前記ハンドル作動開口３４に対応してハンドル装置１２０が装着される。ハンドル装置１２０は、前記上皿４０の側壁から装飾的に連続する取付基板１２１に所謂ハンドルが突設されて構成されるものであり、その突設されるハンドルは、図２に示すように、取付基板１２１に直接的に固定される外固定部１２２と、該外固定部１２２の前面側に固定される内固定部１２３と、外固定部１２２と内固定部１２３との間で回動自在に設けられる可動部１２４と、から構成されている。また、取付基板１２１の裏面には、複数の取付ネジ１２５が後方に向かって突設されており、取付ネジ１２５をハンドル作動開口３４の周囲に穿設される取付穴３８に差し込んで裏面から打球発射装置２００の取付基板２０１（図１２参照）と共締めするようにナットで締着することにより、取付基板２０１が枠基体１０に固定される。また、ハンドル作動開口３４の側方には、配線通し穴３９が形成されているが、これは、ハンドル装置１２０内に設けられるスイッチ（メインスイッチやタッチセンサ）の配線１２６を枠基体１０の裏面側に導くものである。
【００３７】
上記のように構成されるハンドル装置１２０においては、可動部１２４を回動せしめることにより、その回動操作が打球発射装置２００側に伝達されて打球発射装置２００の打球槌２０２の発射勢を変化させることができる。このため、可動部１２４を所望の位置まで回動させた状態を手で保持することにより、打玉を一定の速度で弾発することが可能となる。なお、図示の実施例におけるハンドル装置１２０は、取付基板１２１（又は枠基体１０）に対して垂直方向に突設されているわけではなく、やや外側に傾斜した状態で突設されている。これは、遊技者がハンドルを操作する際に手首を不自然に折り曲げた状態ではなく自然な状態にしたままでハンドルを握ることができるように配慮した設計であり、長時間の遊技を行っても疲れないようにしたものである。
【００３８】
（リ）透明板保持枠
透明板保持枠１３０は、前記遊技盤２２０の遊技領域２２９を透視し得るガラス１３１を装着し得るものであると共に、本実施例においては、特に装飾効果及び強度を高め得るように構成されたものである。しかして、本実施例における透明板保持枠１３０は、主枠構成部材１３２と、該主枠構成部材１３２の前面側に装着されて遊技状態等に応じて照明装飾する各種の照明装飾部材と、主枠構成部材１３２の前面側に装着される各補強枠部材１７１，１７６と、を備えている。なお、主枠構成部材１３２には、前記ガラス１３１、遊技時の効果音等を発生する左右一対のスピーカ１５５、及び該スピーカ１５５の前面を被覆する金網状のスピーカカバー１５６も取付け固定されるものである。そこで、以下、透明板保持枠１３０を構成する構成部材毎に順次説明する。
【００３９】
（リ−１）主枠構成部材
まず、主枠構成部材１３２について説明する。主枠構成部材１３２は、図９及び図１０に示すように、ほぼ正方形状の合成樹脂板からなり、その中央部には後述する遊技盤２２０の遊技領域２２９の外周形状に沿った円形状の遊技開口１３３が形成されている。なお、主枠構成部材１３２の左側上端には、前記上ヒンジ部材２９のヒンジ支持部３０との干渉を回避するための切欠部１３２ａが形成されている。主枠構成部材１３２の前面側の上辺部には、照明装飾部材としてのＬＥＤ基板１５７、ＬＥＤカバー１５８、ランプ基板１５９、及びランプカバー１６２の組付け位置を一義的に決める取付凹部１３４が刻設されている。これにより、ＬＥＤ基板１５７、ＬＥＤカバー１５８、ランプ基板１５９、及びランプカバー１６２の組付けの容易化を図ることができる。なお、取付凹部１３４内には、ＬＥＤ基板１５７の電気配線を主枠構成部材１３２の裏面側に引き出すための引出口１３４ａが左右２箇所に開設されている。また、取付凹部１３４の左右側方には、それぞれスピーカ１５５設置用のスピーカ効果穴１３５が開設されると共にスピーカカバー１５６取付け用の取付凹部１３６が刻設されている。また、左側（軸支側）のスピーカ効果穴１３５と取付凹部１３４との間には、照明装飾部材としての各ＬＥＤ基板１６５，１６７を取付けるための取付穴１３７ａ，１３７ｂが開設されている。また、主枠構成部材１３２の左右の各側辺部には、照明装飾部材としての各ランプ基板１６０，１６１を取付けるための取付穴１３８ａ，１３８ｂ，１３９ａ，１３９ｂが前記遊技開口１３３に沿った円弧状にて開設されている。更に、主枠構成部材１３２の下辺部の左右２箇所には、半円形状の窓１４０ａ，１４０ｂが開設されており、該窓１４０ａ，１４０ｂには、後述する遊技盤２２０の各シール２６１，２６３が視認できるように、透明材料からなる窓カバー部材１４１ａ，１４１ｂが主枠構成部材１３２の裏面からビス止め固定されている。
【００４０】
一方、主枠構成部材１３２の裏面側の構造においては、図１１に示すように、前記取付凹部１３４の裏面側に配線収納金具１４２がビス止め固定されると共に、軸支側裏面の上部及び下部に補強金属板１４３，１４４が、また開放側裏面の上部に補強金属板１４５がそれぞれビス止め固定されるようになっている。なお、配線収納金具１４２は、電気配線の収納機能に加えて透明板保持枠１３０の補強機能をも合せ持つものである。補強金属板１４３，１４５には、それぞれスピーカ１５５取付け用の取付穴１４３ａ，１４５ａが穿設されており、補強金属板１４４には、配線挿通用の挿通穴１４４ａが穿設されている。また、補強金属板１４３には、前記上ヒンジ部材２９と係合するヒンジピン１４６がスプリング１４７（図９参照）により上下動可能に設けられる一方、補強金属板１４４の下端に位置する主枠構成部材１３２の裏面には、前記下ヒンジ部材２７と係合するヒンジ金具１４８がビス止め固定されている。また、主枠構成部材１３２の裏面における開放側辺部及び下辺部には、各々、細長形状の補強金具１４９，１５０がビス止め固定されており、補強金具１４９の長手方向における上下２箇所には、前記枠基体１０に形成された上下一対のフック連通穴２１ａ，２１ｂに挿通される錠フック１４９ａが設けられている。なお、主枠構成部材１３２の裏面には、前記検出器取付穴１７，１８の各検出器１９に対応するスイッチ押圧部１３２ｂ，１３２ｃが突設されており、該スイッチ押圧部１３２ｂ，１３２ｃに対応する補強金属板１４４，１４５の各部位には、後方に突出した各スイッチ押圧部１３２ｂ，１３２ｃを貫通せしめるスイッチ挿通穴１４４ｂ，１４５ｂが穿設されている。また、主枠構成部材１３２の取付凹部１３４の下部裏面側には、前記ＬＥＤ基板１５７及びランプ基板１５９の熱抜き開口１３２ｄが４箇所に開設されている。
【００４１】
ところで、前記補強金属板１４３，１４４及び補強金具１４９，１５０には、それぞれ防犯用フランジ辺部１４３ｂ，１４４ｃ，１４９ｂ，１５０ａが後方に向かって突設形成されている。この防犯用フランジ辺部１４３ｂ，１４４ｃ，１４９ｂ，１５０ａは、透明板保持枠１３０を枠基体１０に対して閉じた状態で、枠基体１０の前面に当接した状態となり透明板保持枠１３０と枠基体１０との隙間からピアノ線等の不正具が挿入するのを防止するようになっている。なお、配線収納金具１４２、補強金属板１４３〜１４５、及び補強金具１４９，１５０は、各々、接続状態にて主枠構成部材１３２に取付けられているため、いずれか任意の位置でアース線と接続しておけば、透明板保持枠１３０のいずれの場所で漏電又は静電気が生じていてもそれらをアースして高電圧による障害を防止することも可能である。
【００４２】
（リ−２）ガラスの取付構造
また、主枠構成部材１３２の裏面には、図３に示すように、斜め対角線状に複数（４つ）の金属製のガラス取付支持部材１５１が成形時に一体的に設けられている。ガラス取付支持部材１５１は、その先端部に係合溝が周設されている。このように設けられるガラス取付支持部材１５１に対して、遊技開口１３３よりも若干大きな直径で形成されるガラス収納部材１５２に２枚のガラス１３１を前後面より貼り合わせて構成したセットガラスが装着されるものであるが、その脱着は、極めて簡単に行うことができるようになっている。即ち、ガラス収納部材１５２には、その前面側に前記ガラス取付支持部材１５１を貫通する貫通穴１５３ａを有する取付片部１５３が一体的に形成され、該取付片部１５３の基部に止め金具１５４がビス止めされている。しかして、ガラス１３１を装着するには、ガラス取付支持部材１５１に取付片部１５３の貫通穴１５３ａを貫通させ、その状態で止め金具１５４を回動して係合溝に係止させることによりガラス１３１を主枠構成部材１３２、即ち透明板保持枠１３０に装着することができる。一方、ガラス１３１を取り外す場合には、止め金具１５４を回動させて係合溝との係合を解除した後に、ガラス収納部材１５２全体をガラス取付支持部材１５１から引き抜くことによりガラス１３１を主枠構成部材１３２、即ち透明板保持枠１３０から取り外すことができる。なお、ガラス１３１の脱着は、組付け完成した透明板保持枠１３０を枠基体１０に対して開放した状態で行えることは言うまでもない。また、透明板としてガラスではなく透明な合成樹脂板等を使用したものでも良い。
【００４３】
（リ−３）照明装飾部材
主枠構成部材１３２に取付けられる各種の照明装飾部材は、円弧状の基板本体を有するＬＥＤ基板１５７と、該ＬＥＤ基板１５７の前面を被覆するＬＥＤカバー１５８と、円弧状の基板本体を有する各ランプ基板１５９，１６０，１６１と、該ランプ基板１５９，１６０，１６１の前面を個々に被覆する各ランプカバー１６２，１６３ａ，１６３ｂ，１６４ａ，１６４ｂと、ＬＥＤ基板１６５と、該ＬＥＤ基板１６５に植設された複数のＬＥＤを個々に被覆するレンズ部１６６ａを有するレンズカバー体１６６と、ＬＥＤ基板１６７と、該ＬＥＤ基板１６７に植設された複数のＬＥＤを個々に被覆するレンズ部１６８ａを有するレンズカバー体１６８と、から構成されている。ＬＥＤ基板１５７及びランプ基板１５９は、それぞれ前記取付凹部１３４に上下２段にて主枠構成部材１３２の前方からビス止め固定され、ＬＥＤ及びランプの各カバー１５８，１６２は、それぞれ両端部に形成された係合爪１５８ａ，１６２ａが取付凹部１３４側の係止穴（図示しない）に係止されるようになっている。
【００４４】
また、ランプ基板１６０，１６１は、それぞれ主枠構成部材１３２の裏面側から前記取付穴１３８ａ，１３８ｂ，１３９ａ，１３９ｂにビス止め固定される一方、各ランプカバー１６３ａ，１６３ｂ，１６４ａ，１６４ｂは、それぞれ後述の補強枠部材１７１，１７６にビス止め固定されるようになっている。ＬＥＤ基板１６５，１６７は、個々に各レンズカバー体１６６，１６８に取付け固定され、レンズカバー体１６６，１６８は、それぞれ補強枠部材１７１にビス止め固定されるようになっている。なお、ＬＥＤ基板１５７及び各ランプ基板１５９，１６０，１６１の基板表面（ＬＥＤあるいはランプの配設面）には、それぞれ白色塗料が塗られ、発光を前方（遊技者側）に反射し得るようになっている。また、各ランプ基板１６０，１６１の裏面側には、それぞれ基板カバー１６９，１７０が一体的にビス止め固定され、各基板１６０，１６１を裏面側から保護するようになっている。なお、ＬＥＤ基板１６５に設けられるＬＥＤは、例えば、入賞玉が発生したことに基づいて払出される景品玉の払出し時に表示駆動され、また、ＬＥＤ基板１６７に設けられるＬＥＤは、後述する貯留タンク１８６に貯留される景品玉量が不足したときに表示駆動される等のように、各種照明装飾部材は、それぞれ遊技内容に応じて後述する電飾制御回路基板１９８の制御に基づいて照明装飾されるものである。
【００４５】
（リ−４）補強枠部材（カバー部材）
次に、上記した主枠構成部材１３２に取付けられるカバー部材としての補強枠部材１７１，１７６について説明する。補強枠部材１７１，１７６は、相互にほぼ左右対称形状の合成樹脂板からなり、外周面にはメッキ処理が施されている。補強枠部材１７１は、図９に示すように、右側端部が前記主枠構成部材１３２の開口１３３に沿った円弧状に形成され、その近傍には前記ランプカバー１６３ａ，１６３ｂを取付けるための各取付穴１７２ａ，１７２ｂが円弧状にて穿設されている。また、補強枠部材１７１の上側には、前記スピーカカバー１５９を取付けるための取付穴１７３と、レンズカバー体１６６，１６８の各レンズ部１６６ａ，１６８ａを貫通するための複数の貫通穴１７４と、が穿設されている。なお、補強枠部材１７１の左側上端には、主枠構成部材１３２と同様に、前記上ヒンジ部材２９との干渉回避用の切欠部１７５が形成されている。
【００４６】
一方、補強枠部材１７６は、左側端部が前記主枠構成部材１３２の開口１３３に沿った円弧状に形成され、その近傍には前記ランプカバー１６４ａ，１６４ｂを取付けるための各取付穴１７７ａ，１７７ｂが円弧状にて穿設されている。また、補強枠部材１７６の上側には、前記スピーカカバー１５９を取付けるための取付穴１７８が穿設されている。そして、上記のような補強枠部材１７１，１７６は、それぞれ裏面側に突設されたビス止めボス１７１ａ，１７６ａを介して主枠構成部材１３２に取付け固定されるようになっている。
【００４７】
（リ−５）透明板保持枠の開閉構造
以上、説明した主枠構成部材１３２に補強枠部材１７１，１７６等を組合せて構成される透明板保持枠１３０は、図１及び図２に示すように、枠基体１０の横幅寸法とほぼ同じ寸法を有し、このため、遊技者の正面からの視野においては、枠基体１０の上方部で枠基体１０を視認することはできず透明板保持枠１３０が視認されることとなる。そして、透明板保持枠１３０は、枠基体１０に対して開閉自在に設けられることは、前述した通りであり、透明板保持枠１３０は、上端部をヒンジピン１４６とヒンジ支持部３０の係合穴３０ａとの軸受状態で、下端部をヒンジ金具１４８の係合穴１４８ａと中ヒンジ部材２６のヒンジピン２８との軸受状態でそれぞれ開閉自在に設けられるものであるが、下端部のヒンジ金具１４８の係合穴１４８ａの外側には、図示しない係合突部が突設され、一方、中ヒンジ部材２６の垂直辺部の外側にも図示しない係合部が立設形成されている。しかして、透明板保持枠１３０を開放したときには、ヒンジ金具１４８の係合突部が中ヒンジ部材２６の係合部に当接してそれ以上開放できないようになっており、これにより透明板保持枠１３０を勢いよく開放してもガラス１３１が破損したり、あるいは透明板保持枠１３０の表面に設けられる各種構成部材が破損したりすることはない。
【００４８】
（リ−６）透明板保持枠の施錠構造
透明板保持枠１３０は、上記したように枠基体１０に対して開閉自在に設けられるが、通常の使用時においては、これを閉じておかなければならないので、当然のことながら開放側を施錠する必要がある。このため、図２に示すように、枠基体１０の開放側裏面に錠装置２１０が取付けられている。なお、錠装置２１０は、透明板保持枠１３０の施錠ばかりでなく、枠基体１０の外枠２に対する施錠をも行うことができる、いわゆるＷ錠となっている。そこで、この錠装置２１０について図２及び図１５を参照して説明する。錠装置２１０は、断面Ｌ字型に形成される取付基板２１１に集約して形成され、取付基板２１１の一方辺が枠基体１０への取付面２１１ａをなしている。該取付面２１１ａの下方寄りには、シリンダー錠２１２が取付けられている。
【００４９】
取付基板２１１の他方辺には、取付基板２１１に対して上下動可能なように可動部材（図示しない）が取付けられており、該可動部材の上端部及び下端部には、それぞれ錠フック２１３が設けられている。錠フック２１３の先端は、錠フック２１３に向けて傾斜する誘導傾斜部２１４となっているが、これは、枠基体１０を押して閉じるときに外枠２の内側上下に固定される係止金具６ａ，６ｂに当接案内されながら最終的に錠フック２１３と係止金具６ａ，６ｂとを係合させるためのものである。なお、下方の誘導傾斜部２１４には、側方に突出する操作部２１５が突設されており、手の操作で可動部材を上昇せしめるときに使用するものである。また、可動部材は、取付基板２１１との間に張架されたスプリング（図示しない）により常時下方に付勢されている。
【００５０】
一方、取付基板２１１の一方辺（取付面２１１ａ）にも、前記可動部材と同様の作動部材（図示しない）が上下動可能に取付けられている。該作動部材は、スプリング（図示しない）により常時上方に付勢されており、その中央部には、手動操作用の操作杆２１６が突設されている。また、取付面２１１ａには、その上端部と中央よりやや下方に長方形状の連通口２１７が開設されており、該連通口２１７に対応する作動部材の部位には、図示しない係合開口が開設されている。なお、連通口２１７及びこれに対応する係合開口には、透明板保持枠１３０の開放側に設けられる錠フック１４９ａが貫通するものである。
【００５１】
上記のように構成される錠装置２１０の作用について簡単に説明する。まず、外枠２に対する枠基体１０の解錠及び施錠について説明すると、遊技場の店員がシリンダー錠２１２に図示しない所定の鍵を差し込んで時計回転方向に回すと、スプリングの付勢力に抗して可動部材が上昇され、これに伴って錠フック２１３も上昇される。このため、錠フック２１３と外枠２の係止金具６ａ，６ｂとが係合位置関係となっていないので、その状態でシリンダー錠２１２に差し込んだままの鍵を引っ張ることにより枠基体１０全体を回動させて開放することができる。一方、開放した枠基体１０を閉じるときには、そのまま枠基体１０を押し込むことにより錠フック２１３の誘導傾斜部２１４と係止金具６ａ，６ｂとの当接により可動部材がスプリングの付勢力に抗して上昇し、遂には、錠フック２１３が係止金具６ａ，６ｂと係合する位置でスプリングの付勢力により可動部材が下降して錠フック２１３と係止金具６ａ，６ｂとが完全に施錠された状態となる。
【００５２】
次に、枠基体１０に対する透明板保持枠１３０の解錠及び施錠について説明すると、遊技場の店員がシリンダー錠２１２に図示しない所定の鍵を差し込んで反時計回転方向に回すと、スプリングの付勢力に抗して作動部材が下降する。このため、作動部材の係合開口と錠フック１４９ａとの係合が解除されて透明板保持枠１３０が開放される。一方、開放した透明板保持枠１３０を閉じるときには、そのまま透明板保持枠１３０を押し込むことにより錠フック１４９ａが枠基体１０に形成されたフック連通穴２１ａ，２１ｂを貫通して錠装置２１０の連通口１１７に侵入し、上昇している作動部材の係合開口の一部に侵入する。その状態でさらに押し込むことにより錠フック１４９ａの先端下辺の傾斜部と係合開口との当接により作動部材がスプリングの付勢力に抗して上昇し、遂には、係合開口が錠フック１４９ａと係合する位置でスプリングの付勢力により作動部材が上昇して錠フック部１４９ａと係合開口とが完全に施錠された状態となる。なお、透明板保持枠１３０を解錠する場合には、枠基体１０を開放した状態で操作杆２１６を押し下げることによっても行うことができる。
【００５３】
以上、透明板保持枠１３０を構成する部材の詳細な説明をしてきたが、これらの構成部材を組付けて完成される透明板保持枠１３０は、前述したように枠基体１０の横幅寸法と同じ横幅寸法を有し且つ透明板保持枠１３０の遊技開口１３３を遊技盤２２０の遊技領域２２９の外周形状に沿った形状として構成したので、図１に示すように、弾球遊技機１の正面上部は、透明板保持枠１３０と該透明板保持枠１３０のガラス１３１を介して視認し得る遊技盤１００の遊技領域１０２だけであり、従来の画一した正方形状の正面形状と大幅に異なる印象を遊技者に与えることができる。また、遊技盤２２０の下方には、後述するように一般的に証明用シール２６１，２６３が貼付されているが、その証明用シール２６１，２６３は、弾球遊技機１の正面から視認し得るようにする必要があり、上記のように透明板保持枠１３０を遊技領域２２９の外周形状に沿った形状とした場合に、証明用シール２６１，２６３が正面から視認できなくなるが、本実施例においては、遊技開口１３３の下部左右の両方に証明用シール２６１，２６３を透視し得る窓１４０ａ，１４０ｂが形成されているので、上記のような証明用シール２６１，２６３が視認できないということはない。
【００５４】
また、透明板保持枠１３０の遊技開口１３３の形状を遊技領域２２９の形状と同一として遊技開口１３３に沿って照明装飾部材１６２，１６３ａ，１６３ｂ，１６４ａ，１６４ｂを透明板保持枠１３０に設けることにより、従来多くの遊技盤で誘導レールの外周に沿って設けられるレール飾りランプを遊技盤に設ける必要がなくなり、遊技盤の交換毎にそれらも同時に交換しなければならないという不経済をなくすことができる。
【００５５】
なお、本実施例の場合、透明板保持枠１３０における正面構造において主枠構成部材１３２の左右前面にカバー部材である補強枠部材１７１，１７６が装着されているので、透明板保持枠１３０は、基本的に二重基板の構造を持つことになる。このため、透明板保持枠１３０の強度が向上でき、タバコやライター等の発熱具による不正の穴空け行為を防止することができる。また、本実施例では、枠基体１０に開閉自在に設けた上皿４０の左右両側には各カバー部材５１，５４，５６が、枠基体１０に固設した下皿６０の側方にはカバー部材７９が、また外枠２の左右両側にはカバー部材５ａ，５ｂが、それぞれ装着されているので、透明板保持枠１３０と同様に弾球遊技機１の前面側に配置される構成部材の強度が向上でき、ひいては弾球遊技機１全体における穴空けの不正行為を防止することができる。また、穴空けの不正行為を防止するカバー部材の装着部位は、本実施例記載の部位に限定するものではなく、弾球遊技機の構成に応じて適宜変更することも可能である。なお、以上のように穴空けの不正行為を防止する各カバー部材は、それぞれ弾球遊技機１の左右の前面側に装着されることで、最終的には枠基体１０、上皿４０、あるいは透明板保持枠１３０の開閉機構（ヒンジや錠装置等）に対する不正を防止するようになっている。また、カバー部材は、各々、合成樹脂によって所望の形状に形成されると共に、外周面にはメッキ処理が施されているため、弾球遊技機１の前面は、上端部から下端部にかけて統一的且つ近未来的な意匠をなし、弾球遊技機１全体の視覚的な興趣の向上を可能にしている。
【００５６】
（ヌ）枠基体の裏面構造
枠基体１０の前面側構造及び前面側に取付けられる各部品の構造は、概ね上記した通りであるが、枠基体１０の裏面構造について図１２乃至図１４を参照して説明する。前述したように、枠基体１０の裏面側には、遊技盤収納枠１２が合成樹脂によって一体的に成形されている。しかして、遊技盤収納枠１２は、遊技盤２２０を支持し且つ固定するものであるため、遊技盤２２０を正確に固定するための部品を有する。また、遊技盤収納枠１２は、遊技盤２２０の裏面に設けられて所定個数の景品玉を払い出すための各種の機構が設けられる機構板１８０を正確に取付けるための部品も有する。具体的には、遊技盤２２０を収納固定する部品として複数の遊技盤基準ピン１２ａ（図１３参照）と複数の固定手段２２２（図１４参照）とがある。遊技盤基準ピン１２ａは、遊技盤２２０を遊技盤収納枠１２に装着する際に遊技盤２２０の特定の位置に形成された基準穴２２１に係合させるものであり、これにより遊技盤２２０を遊技盤収納枠１２の正確な位置に装着することができるものである。なお、枠基体１０における遊技盤収納枠１２の成形部位には、図１３に示すように、空洞１２ｂが設けられている。この空洞１２ｂは、遊技盤収納枠１２の一体成形において枠基体１０の表面側にヒケ（成形時の変形）が発生するのを防止するためのものであり、枠基体１０の成形時にガスを注入するガスインジェクション成形法により形成されるものである。また、固定手段２２２は、一端側が遊技盤収納枠１２に取付け固定され且つ他端側に螺合溝が形成されたボルトピン２２３と、該ボルトピン２２３に挿通されたワッシャ２２４、固定腕２２５、及びスプリング２２６と、ボルトピン２２３に螺着されたナット２２７と、から構成されている。そして、遊技盤２２０を遊技盤収納枠１２に正確に装着した状態で、固定手段２２２の固定腕２２５を回動することにより、遊技盤２２０の裏面から押圧して遊技盤２２０を遊技盤収納枠１２に堅固に固定するようになっている。
【００５７】
一方、機構板１８０を取付けるための部品としては、固定ピン１８１と上下一対のヒンジ部材１８２，１８３とがある。ヒンジ部材１８２，１８３は、枠基体１０の軸支側の裏面に対応する遊技盤収納枠１２の上下に固着される金属製のものであり、このヒンジ部材１８２，１８３に機構板１８０の端部上下に設けられる軸支部（図示しない）を係合させることにより機構板１８０を開閉自在に且つ着脱自在に設けることができる。また、機構板１８０を閉じた状態で固定ピン１８１が機構板１８０に形成された係合穴を通過して先端部が機構板１８０の裏面に突出し、その突出した部分を機構板１８０に回動自在に軸支される係止部材１８４で係止することにより、機構板１８０を遊技盤２２０の裏面に密着した状態で係止することができる。
【００５８】
（ル）機構板
一方、上記した遊技盤２２０の裏面を覆う機構板１８０は、図１２に示すように、遊技盤２２０の後面に取り付けられる後述する入賞玉集合カバー体２７０と対応する部分に方形状の開口１８５が形成され、機構板１８０が閉じられたときに、遊技盤２２０に設けられる可変表示装置２３０の後方突出部を覆う表示装置収納ボックス２７１が後方に貫通し得るようになっている。また、機構板１８０の前面側には、主として前記入賞玉集合カバー体２７０に形成された誘導径路に沿って流下した入賞玉を集合せしめる入賞玉集合樋（図示しない）が形成されるが、機構板１８０の後面側には、その最上部に景品玉として供される多量の玉を貯留する貯留タンク１８６が取着され、該貯留タンク１８６の下方に貯留タンク１８６から流出する玉を複数列（例えば、２列）に整列しながら流下せしめる誘導通路１８７が傾斜状に設けられ、該誘導通路１８７の末端に前記開口１８５の側方に配置され且つ前記誘導通路１８７からの整列された玉を受け入れて入賞玉信号に基づいて所定個数の景品玉を払い出す景品玉払出装置１８８が接続されている。なお、誘導通路１８７の上流側には、玉切れ検出器１８７ａが設けられ、該玉切れ検出器１８７ａがＯＮしたときに前記ＬＥＤ基板１６７に設けられるＬＥＤが点灯するようになっている。
【００５９】
前記景品玉払出装置１８８から払い出された景品玉は、景品玉払出通路１８９の下流側に設けられる景品玉流出口（図示しない）から前記上皿連通口１３及び景品玉排出口４５を介して上皿４０の貯留部６２に導かれる。上皿４０が景品玉で満杯となったときには、景品玉流出口の側方から下方部にかけて形成される余剰玉通路１９０に溢れて下方に流下し、その余剰玉通路１９０の末端に接続される接続樋１９１から前記下皿１００の玉受部材１０６に導かれる。なお、前記景品玉払出装置１８８は、前記入賞玉集合樋に集められた入賞玉を１個ずつ処理する入賞玉処理装置（図示しない）に含まれる入賞玉検出器１９７が入賞玉を検出することにより駆動されるものである。また、この入賞玉検出器１９７がＯＮすると前記ＬＥＤ基板１６５に設けられるＬＥＤが所定時間点灯されるものである。更に、前記余剰玉通路１９０の下部一側には、満タン検出器１９２が設けられ、該満タン検出器１９２がＯＮすると、打球発射装置２００の打球モータ２０３の駆動が停止されるようになっている。
【００６０】
機構板１８０の概の構成は、上記した通りであるが、図示の実施例では、機構板１８０の裏面上部にターミナル基板ボックス１９３が設けられ、更に、開口１８５の下部に遊技制御回路基板１９５が着脱自在に取付けられ、前記景品玉払出通路１８９の後面にカードユニット中継基板１９４が取り付けら、前記遊技制御回路基板１９５の下方に払出制御回路基板１９６が取り付けられている。ターミナル基板ボックス１９３は、弾球遊技機１に電源を供給する電源線や弾球遊技機１と遊技場の管理コンピュータ（図示しない）との情報信号をやり取りするための端子等が設けられるものであり、遊技制御回路基板１９５は、遊技盤２２０に設けられる可変表示装置２３０や可変入賞球装置２４０等の動作を制御するものである。このため、遊技制御回路基板１９５には、前記入賞玉集合カバー体２７０の裏面に取り付けられる第１中継基板２７２や第２中継基板２７３からの配線や、可変表示装置２３０からの配線が接続されるようになっている。なお、機構板１８０を開閉する際には、これらの配線の接続を取り外すことが必要となる。また、カードユニット中継基板１９４は、後述するカードユニット２８０と前記上皿４０の操作透視板８７に設けられる操作具や払出制御回路基板１９６とを中継するものであり、払出制御回路基板１９６は、入賞信号又は貸出信号を受けて前記景品玉払出装置１８８を制御して景品玉又は遊技玉を払い出すものである。
【００６１】
（ヲ）枠基体のその他の裏面構成
枠基体１０のその他の裏面構成としては、図１２に示すように、枠基体１０の裏面下部一側に打球発射装置２００が取付けられている。この打球発射装置２００は、取付基板２０１に打玉を弾発する打球槌２０２と、該打球槌２０２に往復回動動作を付与する打球モータ２０３と、打球槌２０２の往復動作に連動して上下動し且つ図示しない打球供給装置を駆動する玉送り昇降杆２０４等を集約して設けることにより構成されており、前記ハンドル装置１２０と関連づけられている。また、打球発射装置２００の設置位置と反対側には、透明板保持枠１３０に設けられる電装部品の動作を制御し且つスピーカ１５５の音量を段階的に調整する音量調整スイッチ１７９を含む電飾制御回路基板１９８が取付けられている。そして、この電飾制御回路基板１９８と透明板保持枠１３０に設けられる電装部品とを接続する配線が乱雑にならないように枠基体１０の軸支側裏面一側には、配線処理部材が設けられている。この配線処理部材は、枠基体１０と一体的に成形しても良いし、あるいは別体の処理部材を止着しても良い。また、配線処理部材の形状は、配線をまとめることができるものであればどのような形状，構造のものであっても良い。更に、枠基体１０の開放側裏面には、外枠２に対する枠基体１０の施錠、及び枠基体１０に対する透明板保持枠１３０の施錠を行う錠装置２１０が取付けられるが、この錠装置２１０については、前述したとおりである。
【００６２】
（ワ）遊技盤
以上、説明した弾球遊技機１の各構成部材は、いわゆる弾球遊技機１の本体側を構成するものであり、この弾球遊技機本体に着脱交換自在に取り付けられる遊技盤２２０の構成について図１６乃至図１９を参照して説明する。遊技盤２２０は、前記遊技盤収納枠１２に収納固定されるべく、ほぼ正方形状の合板により形成され、その表面には、円形うず巻き状に誘導レール２２８が形成され、該誘導レール２２８の内側が遊技領域２２９とされて発射された打玉が落下するものである。遊技領域２２９には、図示の場合、可変表示装置２３０や可変入賞球装置２４０が設けられると共に、単に打玉を入賞とする入賞口、打玉の流下方向，速度を変化せしめる風車又は多数の障害釘が設けられ、また、遊技領域２２９の最下方には、いずれの入賞領域にも入賞しない打玉が取り込まれるアウト口２３９が設けられている。
【００６３】
より詳細に説明すると、可変表示装置２３０は、複数の回転ドラム２３１ａ〜２３１ｃを有し、該回転ドラム２３１ａ〜２３１ｃの外周には、複数の図柄が描かれている。しかして、遊技領域２２９を落下する打玉が可変表示装置２３０の下方に配置される始動入賞口２３４に入賞して始動入賞玉検出器２３４ａ（図１８に示すように可変入賞球装置２４０が設けられる位置の遊技盤２２０の裏面側に設けられる）をＯＮせしめると、回転ドラム２３１ａ〜２３１ｃが変動を開始し、所定時間（例えば、５秒）が経過すると左、右、中の順で停止し、その停止時に表示される図柄の組合せが予め定められた大当り図柄の組合せと一致したときに大当り遊技状態となって次に説明する可変入賞球装置２４０の開閉板２４３を一定時間（例えば、２５秒〜２９秒）が経過するまで、あるいはその一定時間が経過する前に所定個数（例えば、１０個）の入賞玉が開放する開放サイクルを後述する特定玉検出器２４４がＯＮすることを条件として所定回数（例えば、１６回）繰り返すようになっている。なお、可変表示装置２３０には、その上部に入賞口２３２が形成され、その下部に回転ドラム２３１ａ〜２３１ｃを回転せしめる権利を留保した旨を報知する始動記憶表示器２３３が一体的に設けられている。
【００６４】
次に可変入賞球装置２４０について説明するが、可変入賞球装置２４０を説明する前に、遊技領域２２９に設けられる他の構成部材について説明する。まず、上記した可変表示装置２３０は、遊技領域２２９のほぼ中央に配置され、可変入賞球装置２４０は、遊技領域２２９の下部であって前記アウト口２３９の上方に配置される。そして、可変表示装置２３０と可変入賞球装置２４０との間には、前記始動入賞口２３４が配置され、可変表示装置２３０の左右上部側方にランプ付風車２３５が配置され、更に、遊技領域２２９の左右上部に前記した大当り遊技状態となったときに点灯又は点滅してその旨を報知するサイドランプ２３６が配置されている。また、誘導レール２２８の先端であって遊技領域２２９への入口部分には、一旦遊技領域２２９に到達した打玉を誘導レール２２８内に逆流しないようにするための逆流防止装置２３７が設けられ、その反対側上部には、当該遊技において得られる景品玉数を表示する賞品数表示シール２３８が設けられている。
【００６５】
本実施例における可変入賞球装置２４０は、その主要部分は、従来の可変入賞球装置とあまり変わらないが、全体の印象が大きく異なる形状を有している。即ち、可変入賞球装置２４０は、円形状の遊技領域２２９の下半分の形状に対応するように円弧状の取付基板２４１を有し、該取付基板２４１のほぼ中央に長方形状の入賞領域２４２が開設され、その入賞領域２４２を開閉板２４３で開閉するようになっている。開閉板２４３は、図示しないソレノイドによって開閉制御されるものであり、その具体的な動作は、前記した大当り遊技状態における動作である。このため、開閉板２４３内の入賞領域は、明瞭に図示しないが、２つに区分され、一方の区分に打玉が入賞したときには、特定玉検出器２４４によって検出されて前記開放サイクルの継続を保証することとなり、他方の区分に打玉が入賞したときには、入賞玉検出器２４５によって検出されて開放サイクルにおける開閉板２４３の開放長さを規制することとなる。また、開閉板２４３の下方には、突出障害部材２５８が突設されているが、この突出障害部材２５８の前面には、大当り遊技状態における開放サイクルの回数を表示する回数表示器２４６と、１回の開放サイクルにおける開閉板２４３内への入賞玉数を表示する個数表示器２４７とが臨むようになっている。なお、入賞領域２４２を開閉する部材として図示のような１枚の板からなる開閉板２４３だけでなく、一対の羽根状の開閉部材であっても良い。
【００６６】
上記した構成だけからなる可変入賞球装置は、従来から数多く知られているが、本実施例においては、上記した構成に加えて取付基板２４１の左右に円弧状に延設された部分には、その円弧状上端部に第１の入賞口としての入賞口２４８ａ，２４８ｂが形成され、また、円弧状基部にも第２の入賞口としての入賞口２４９ａ，２４９ｂが形成され、入賞口２４８ａ，２４８ｂと入賞口２４９ａ，２４９ｂとの間は、打玉の通過し得る通過間隔２５０ａ，２５０ｂとなっている。そして、上記入賞口２４８ａ，２４８ｂと入賞口２４９ａ，２４９ｂとの間の前面に亘って、透過飾り板２５１ａ，２５１ｂが円弧状に装着され、その透過飾り板２５１ａ，２５１ｂの下方の取付基板２４１には、複数の飾りＬＥＤ２５３が設けられている。このため、飾りＬＥＤ２５３が点灯又は点滅作動されたときには、開閉板２４３の両端部から円弧状の上端、即ち、誘導レール２２８の下半分に沿った状態で光学的な装飾効果を高めることができる。このような遊技領域２２９の下方であって誘導レール２２８に沿った透過飾り板２５１ａ，２５１ｂによる装飾及び飾りＬＥＤ２５３による光学的装飾は、従来において全くなく、遊技者に与える印象度は、大幅に異なるものである。また、第１の入賞口２４８ａ，２４８ｂと通過間隔２５０ａ，２５０ｂとの間の内側側面は、打玉を誘導する玉誘導面２５２ａ，２５２ｂとなっており、その玉誘導面２５２ａ，２５２ｂに沿って落下する打玉の多くを可変入賞球装置２４０の中心に形成される開閉板２４３に向けて誘導するものであり、一部の打玉を通過間隔２５０ａ，２５０ｂの間から下方に導くものである。なお、取付基板２４１には、前記透過飾り板２５１ａ，２５１ｂの外側に密着する状態であって、通過間隔２５０ａ，２５０ｂを除く位置に光を透過する材料で構成される飾りレンズ部材２５４ａ，２５４ｂ、２５６ａ，２５６ｂが設けられ、該飾りレンズ部材２５４ａ，２５４ｂ、２５６ａ，２５６ｂ内にもそれぞれ飾りＬＥＤ２５５，２５７が設けられている。なお、上記実施例では、第２の入賞口２４９ａ，２４９ｂを入賞領域２４２に臨設するものを示したが、必ずしも第２の入賞口２４９ａ，２４９ｂはなくてもよく、入賞領域２４２の両端部と第１の入賞口２４８ａ，２４８ｂとの間を通過間隔２５０ａ，２５０ｂとしても良い。
【００６７】
また、遊技盤２２０の表面下方であって誘導レール２２８の外側左右に、ビス止め固定された各種のシール貼付台座２６０，２６２を介してアミューズメントシール２６１、及び証紙シール２６３が取付けられている。このアミューズメントシール２６１及び証紙シール２６３は、いわゆる証明用シールといわれるもので、弾球遊技機１が遊技場に設置されたときにそれらが関係機関によって正規に認められたものであるということを証明するためのものであるため、通常の状態で前方から容易に視認される必要があるが、本実施例においては、その貼付位置に対応する前記透明板保持枠１３０の下部左右に窓１４０ａ，１４０ｂが形成されているので、その窓１４０ａ，１４０ｂを介してアミューズメントシール２６１、証紙シール２６３を容易に視認することができるようになっている。なお、それらの証明シールを台座２６０，２６２を介することなく、遊技盤２２０の表面に直接貼付しても良いが、台座２６０，２６２に貼付する場合には、当然のことながら、台座２６０，２６２の遊技盤２２０への取付位置が規定されることとなり、結果的に窓１４０ａ，１４０ｂの位置に正確に対応して証明シール２６１，２６３を貼付し得るという利点がある。また、証明用シール２６１，２６３は、必ずしもシールでなくても良く、遊技盤２２０又は台座２６０，２６２に直接印刷したもの、あるいは金属や合成樹脂で成形したものでも良く、要は、関係機関によって正規に認められたものであれば、どのようなものでも良い。
【００６８】
一方、遊技盤２２０の裏面には、図１２に示すように、前記可変表示装置２３０の後面構造物である表示装置収納ボックス２７１が遊技盤２２０の裏面に直接的に止着され、該表示装置収納ボックス２７１の周囲を囲むように入賞玉集合カバー体２７０が取付けられている。入賞玉集合カバー体２７０は、各種の入賞口や入賞球装置に入賞した入賞玉を所定の流路にしたがって誘導する誘導径路が形成されるものである。また、入賞玉集合カバー体２７０の裏面には、遊技盤２２０に配置される入賞口や入賞球装置等に付設されるスイッチや装飾用発光源の電装部品の配線が接続される第１中継基板２７２と第２中継基板２７３（これらを１つの中継基板にまとめたものでも良い）とが取付けられている。第１中継基板２７２と第２中継基板２７３は、遊技盤２２０に設けられる各種の電装部品と前記遊技制御回路基板１９５とを中継するために設けられるものである。更に、遊技盤２２０の裏面には、前記アウト口２３９に対応する位置の下流側にアウト玉通路（図示しない）が刻設され、このアウト玉通路に沿ってアウト玉が下方に導かれる。アウト玉通路から下方に導かれたアウト玉は、前記遊技盤収納枠１２の下辺ほぼ中央に形成される玉誘導通路（図示しない）から機構板１８０に形成されるアウト玉排出通路（図示しない）に導かれるようになっている。
【００６９】
（カ）カードユニット
次に、上記した弾球遊技機１に隣接されるカードユニット２８０の構成について図１を参照して説明する。前述したように、前記上皿４０には、その上面にカードユニット２８０を介して遊技玉を借り受ける際に操作する操作部が設けられている。しかして、カードユニット２８０は、使用可能状態であるか否かを表示する稼働表示器２８１と、カード内に記録された残額情報に端数（１００円未満の数）が存在する場合にその端数を前記残高表示器９７に表示させるための端数表示スイッチ２８２と、当該カードユニット２８０がいずれの側の弾球遊技機１に対応しているか否かを表示する連結台方向表示器２８３と、カードがカードユニット２８０内に投入中であることを表示するカード挿入中表示器２８４と、記録媒体としての磁気カードを挿入するカード挿入・排出口２８５とが設けられている。そして、このように構成されるカードユニット２８０は、独自の制御回路によって制御されるものであるが、上皿４０に設けられる前記選択スイッチ９４，玉貸スイッチ９５、返却スイッチ９６、及び残高表示器９７や、前記払出制御回路基板１９６とを接続する必要があるため弾球遊技機１の裏面に設けられる機構板１８０には、カードユニット中継基板１９４（図１２参照）が設けられており、該カードユニット中継基板１９４にカードユニット２８０のコネクタから延設される配線が接続されている（図１２参照）。なお、カードユニット２８０を弾球遊技機１に内蔵しても良い。
【００７０】
以上、実施例に係る弾球遊技機１の構成について詳細に説明してきたが、本実施例によれば、透明板保持枠１３０の遊技開口１３３を遊技盤２２０の遊技領域２２９の外周形状に沿った形状として構成したので、弾球遊技機１の正面上部は、透明板保持枠１３０と該透明板保持枠１３０のガラス１３１を介して視認し得る遊技盤１００の遊技領域１０２だけであり、従来の画一した正方形状の正面形状と大幅に異なる印象を遊技者に与えることができる。また、遊技盤２２０の下方には、証明用シール２６１，２６３が貼付されているが、その証明用シール２６１，２６３は、弾球遊技機１の正面から視認し得るようにする必要があり、上記のように透明板保持枠１３０を遊技領域２２９の外周形状に沿った形状とした場合に、証明用シール２６１，２６３が正面から視認できなくなるが、本実施例においては、遊技開口１３３の下部左右の両方に証明用シール２６１，２６３を透視し得る窓１４０ａ，１４０ｂが形成されているので、上記のような証明用シール２６１，２６３が視認できないということはない。
【００７１】
また、本実施例においては、カードユニット２８０からの貸出指令があったにも拘らず遊技玉の貸出動作が行われなかったときや遊技玉の貸出動作が行われたときには、圧電ブザー７０からそれぞれの状態に応じた報知音が発生されるが、その報知音が上皿４０の皿部材６０内に収納される圧電ブザー７０から発生され、それ以外の遊技の進行に関係する効果音は、圧電ブザー７０から離れた位置となっている透明板保持枠１３０の上部両端に設けられるスピーカ１５５から発生されるので、圧電ブザー７０から報知される報知音とスピーカ１５５から効果音とを明確に聞き分けることができ、報知音が効果音によってかき消されることがなく、遊技玉の貸出に対する正確な状態を把握することができる。
【００７２】
更に、本実施例においては、可変入賞球装置２４０の取付基板２４１のほぼ中央に長方形状の入賞領域２４２を形成した従来の構成と同じ構成に加えて取付基板２４１の左右に円弧状に延設された部分には、その円弧状上端部に第１の入賞口としての入賞口２４８ａ，２４８ｂが形成され、また、円弧状基部にも第２の入賞口としての入賞口２４９ａ，２４９ｂが形成され、入賞口２４８ａ，２４８ｂと入賞口２４９ａ，２４９ｂとの間は、打玉の通過し得る通過間隔２５０ａ，２５０ｂとし、上記入賞口２４８ａ，２４８ｂと入賞口２４９ａ，２４９ｂとの間の前面に亘って、透過飾り板２５１ａ，２５１ｂが円弧状に装着され、その透過飾り板２５１ａ，２５１ｂの下方の取付基板２４１には、複数の飾りＬＥＤ２５３が設けられている。このため、飾りＬＥＤ２５３が点灯又は点滅作動されたときには、開閉板２４３の両端部から円弧状の上端、即ち、誘導レール２２８の下半分に沿った状態で光学的な装飾効果を高めることができる。このような遊技領域２２９の下方であって誘導レール２２８に沿った透過飾り板２５１ａ，２５１ｂによる装飾及び飾りＬＥＤ２５３による光学的装飾は、従来において全くなく、遊技者に与える印象度は、大幅に異なるものである。
【図面の簡単な説明】
【００７３】
【図１】実施例に係る弾球遊技機１の正面図である。
【図２】弾球遊技機の主要構成部材である枠基体の分解斜視図である。
【図３】透明板保持枠を枠基体に取付けた状態での透明板保持枠を開放した状態を示す弾球遊技機の斜視図である。
【図４】上皿の分解斜視図である。
【図５】上皿を構成する皿部材の分解斜視図である。
【図６】下皿及び灰皿の分解斜視図である。
【図７】灰皿部分であって図１のＡ−Ａ線矢視断面図である。
【図８】（Ａ）（Ｂ）は、各々、灰皿の回転動作を示す説明図である。
【図９】透明板保持枠の正面から見た分解斜視図である。
【図１０】透明板保持枠の正面図である。
【図１１】透明板保持枠の背面図である。
【図１２】遊技盤及び機構板を取付けた状態での枠基体の背面図である。
【図１３】図１のＢ−Ｂ線矢視断面図である。
【図１４】図１のＣ−Ｃ線矢視断面図である。
【図１５】図１のＤ−Ｄ線矢視断面図である。
【図１６】遊技盤の正面図である。
【図１７】遊技盤に設けられる可変入賞球装置の正面から見た斜視図である。
【図１８】可変入賞球装置の正面図である。
【図１９】可変入賞球装置の中央部分での断面図である。
【符号の説明】
【００７４】
１  弾球遊技機
２  外枠
１０  枠基体
１１  開口部
４０  上皿
４１  取付基板
７０  圧電ブザー（報知音発生手段）
９５  玉貸スイッチ
１００  下皿
１１４  灰皿
１２０  ハンドル装置
１３０  透明板保持枠
１３３  遊技開口
１４０ａ，１４０ｂ  窓
１４１ａ，１４１ｂ  窓カバー部材
１５５  スピーカ（効果音発生手段）
１８０  機構板
２２０  遊技盤
２２８  誘導レール
２２９  遊技領域
２４０  可変入賞球装置
２４１  取付基板
２４３  開閉板
２４８ａ，２４８ｂ  第１の入賞口
２４９ａ，２４９ｂ  第２の入賞口
２５０ａ，２５０ｂ  通過間隔
２５１ａ，２５１ｂ  透過飾り板
２５３，２５５，２５７  飾りＬＥＤ
２５４ａ，２５４ｂ、２５６ａ，２５６ｂ  飾りレンズ部材
２６０，２６２  シール貼付台座
２６１  アミューズメントシール（証明手段）
２６３  証紙シール（証明手段）
２８０  カードユニット
【図１】
2007105505.tif 000003
【図２】
2007105505.tif 000004
【図３】
2007105505.tif 000005
【図４】
2007105505.tif 000006
【図５】
2007105505.tif 000007
【図６】
2007105505.tif 000008
【図７】
2007105505.tif 000009
【図８】
2007105505.tif 000010
【図９】
2007105505.tif 000011
【図１０】
2007105505.tif 000012
【図１１】
2007105505.tif 000013
【図１２】
2007105505.tif 000014
【図１３】
2007105505.tif 000015
【図１４】
2007105505.tif 000016
【図１５】
2007105505.tif 000017
【図１６】
2007105505.tif 000018
【図１７】
2007105505.tif 000019
【図１８】
2007105505.tif 000020
【図１９】
2007105505.tif 000021
【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
遊技盤の遊技領域を透視し得る遊技開口を有すると共に該遊技開口に対応して透明板を装着可能とする透明板保持枠を枠基体に対して開閉自在に設けた弾球遊技機において、
前記透明板保持枠の前記遊技開口を前記遊技領域の外周形状に沿った円形状として構成し、
前記透明板保持枠は、合成樹脂製の主枠構成部材と、該主枠構成部材に取り付けられる照明装飾部材と、から構成されると共に、前記枠基体の横幅寸法とほぼ同じ横幅寸法に形成され、
前記照明装飾部材は、遊技制御回路基板とは別の電飾制御回路基板の制御により照明装飾され、
前記透明板保持枠には、前記遊技開口の下部左右の一方又は両方に、前記遊技盤の下部に配置される証明手段を透視し得る透視窓が前記遊技開口とは別に形成され、前記透視窓に対応する透明材料からなる透視窓カバー部材を前記透明板とは別に取り付けたことを特徴とする弾球遊技機。
【手続補正２】
【補正対象書類名】明細書
【補正対象項目名】全文
【補正方法】変更
【補正の内容】
【発明の詳細な説明】
【技術分野】
【０００１】
本発明は、遊技盤の遊技領域を透視し得る遊技開口を有すると共に該遊技開口に対応して透明板を装着可能とする透明板保持枠を枠基体に対して開閉自在に設けた弾球遊技機に関するものである。
【背景技術】
【０００２】
従来、遊技盤の遊技領域を透視し得る遊技開口を有し、該遊技開口に対応して透明板（例えば、ガラス板）を装着することが可能な透明板保持枠としては、額縁状に形成された木製の前面枠の開口周縁に固定されるほぼ正方形状の金属製の扉保持枠（俗に「金枠」と称されている）に開閉自在に取付けられる金属製のガラス扉保持枠が唯一市場に提供されていた。このガラス扉保持枠は、正面から見てクロムメッキを施した正方形状の枠組みが視認され得るのみで、その形状及び態様は、過去４０年以上に亘って変化していなかった。
【発明の開示】
【発明が解決しようとする課題】
【０００３】
このため、弾球遊技機にとって最も遊技者の注目を集める遊技盤正面部分の形状が正方形であり、他の正面部品に工夫を凝らして装飾効果を高めようとしても、弾球遊技機の正面から見た印象度に大きなインパクトを与えることができず、装飾効果の向上を図るという点でいまひとつ物足りないという問題があった。本発明は、上記した事情に鑑みなされたもので、その目的とするところは、弾球遊技機の正面から見た印象に強いインパクトを与えることができる弾球遊技機を提供することにある。
【課題を解決するための手段】
【０００４】
上記した目的を達成するために、本発明においては、
遊技盤の遊技領域を透視し得る遊技開口を有すると共に該遊技開口に対応して透明板を装着可能とする透明板保持枠を枠基体に対して開閉自在に設けた弾球遊技機において、前記透明板保持枠の前記遊技開口を前記遊技領域の外周形状に沿った円形状として構成し、前記透明板保持枠は、合成樹脂製の主枠構成部材と、該主枠構成部材に取り付けられる照明装飾部材と、から構成されると共に、前記枠基体の横幅寸法とほぼ同じ横幅寸法に形成され、前記照明装飾部材は、遊技制御回路基板とは別の電飾制御回路基板の制御により照明装飾され、前記透明板保持枠には、前記遊技開口の下部左右の一方又は両方に、前記遊技盤の下部に配置される証明手段を透視し得る透視窓が前記遊技開口とは別に形成され、前記透視窓に対応する透明材料からなる透視窓カバー部材を前記透明板とは別に取り付けたことを特徴とするものである。
【発明の効果】
【０００５】
透明板保持枠の遊技開口を遊技盤の遊技領域の外周形状に沿った円形状として構成し、前記透明板保持枠は、合成樹脂製の主枠構成部材と、該主枠構成部材に取り付けられる照明装飾部材と、から構成されると共に、前記枠基体の横幅寸法とほぼ同じ横幅寸法に形成され、前記照明装飾部材は、遊技制御回路基板とは別の電飾制御回路基板の制御により照明装飾されているので、従来の画一した正方形状の正面形状と大幅に異なる印象を遊技者に与えることができる。また、遊技盤の下方には、一般的に証明用手段が配置されているが、その証明用手段は、弾球遊技機の正面から視認し得るようにする必要があり、上記のように透明板保持枠を遊技領域の外周形状に沿った形状とした場合に、証明手段が正面から視認できなくなるが、本発明においては、遊技開口の下部左右の一方又は両方に証明手段を透視し得る透視窓が遊技開口とは別に形成され、前記透視窓に対応する透明材料からなる透視窓カバー部材を前記透明板とは別に取り付けたので、上記のような証明手段が視認できないということはない。
【発明を実施するための最良の形態】
【０００６】
以下、図面を参照して、本発明の実施例について説明する。本実施例の要部を構成する弾球遊技機１の構成について図１乃至図１９を参照して説明する。図１は、弾球遊技機１の正面図であり、図２は、弾球遊技機１の主要構成部材である枠基体１０の分解斜視図であり、図３は、透明板保持枠１３０を枠基体１０に取付けた状態での透明板保持枠１３０を開放した状態を示す弾球遊技機１の斜視図であり、図４は、上皿４０の分解斜視図であり、図５は、上皿４０を構成する皿部材６０の分解斜視図であり、図６は、下皿１００及び灰皿１１４の分解斜視図であり、図７は、灰皿１１４部分であって図１のＡ−Ａ線矢視断面図であり、図８（Ａ）（Ｂ）は、各々、灰皿１１４の回転動作を示す説明図であり、図９は、透明板保持枠１３０の正面から見た分解斜視図であり、図１０は、透明板保持枠１３０の正面図であり、図１１は、透明板保持枠１３０の背面図であり、図１２は、遊技盤２２０及び機構板１８０を取付けた状態での枠基体１０の背面図であり、図１３は、図１のＢ−Ｂ線矢視断面図であり、図１４は、図１のＣ−Ｃ線矢視断面図であり、図１５は、図１のＤ−Ｄ線矢視断面図であり、図１６は、遊技盤２２０の正面図であり、図１７は、遊技盤２２０に設けられる可変入賞球装置２４０の正面から見た斜視図であり、図１８は、可変入賞球装置２４０の正面図であり、図１９は、可変入賞球装置２４０の中央部分での断面図である。
【０００７】
（イ）弾球遊技機の全体構造
本実施例における弾球遊技機１としては、弾発された打玉が遊技盤２２０に形成された入賞口や入賞球装置に入賞した入賞玉に基づいて所定個数の景品玉を払い出す形式のパチンコ遊技機を図示したものであるが、弾発された打玉が遊技盤に設けられる複数の入球口に入球して、その入球口の組合せによって得点が与えられ、その得点に応じた景品玉が払い出される形式の弾球遊技機（属にアレンジ遊技機と称される）であってもよい。しかして、弾球遊技機１は、図３に示すように、縦長な方形状に枠組み形成される外枠２と、該外枠２の一側に開閉自在に軸支され且つ弾球遊技機１の主要構成部のほぼすべてが集約して設けられる枠基体１０と、該枠基体１０の前面上部に開閉自在に設けられ且つ本実施例の要部を構成する透明板保持枠１３０とから構成されている。また、枠基体１に設けられる主要構成部としては、上皿４０、灰皿１１４を含む下皿１００、ハンドル装置１２０、機構板１８０、打球発射装置２００、錠装置２１０、遊技盤２２０がある。また、図示の実施例では、弾球遊技機１の側方にカードユニット２８０が付設されている。以下、各構成毎に順次説明する。
【０００８】
（ロ）外枠
外枠２は、木製の板材を枠組み構成することにより形成され、その一側上下に固着される軸支用金具３ａ，３ｂに枠基体１０が開閉自在に軸支される。なお、下部の軸支用金具３ｂは、次に説明する当て板４の上部に固着される。また、外枠２の下部前面には、閉じたときに枠基体１０の下辺部を載置する当て板４が固定されている。この当て板４は、図２に示すように、その中央部に前方突出面４ａが形成されており、左右の各凹面４ｂ，４ｃには、それぞれカバー部材５ａ，５ｂがビス止め固定されるようになっている。更に、外枠２の開放側の内側上下には、後に詳述する錠装置２１０と係脱して枠基体１０を閉じたり開放したりするための係止金具６ａ，６ｂ（図３参照）が固着されている。この係止金具６ａ，６ｂと錠装置２１０との関係については、後に詳述する。なお、当て板４を含む外枠２を木製の板材ではなく、合成樹脂によって一体成形又は別体に成形して組み立てて構成しても良い。
【０００９】
（ハ）枠基体
上記した外枠２に開閉自在に取付けられる枠基体１０は、合成樹脂によって一体成形されるものであり、図２に示すように、その上部にほぼ正方形状の開口部１１が形成され、その下部が板状となっている。つまり、枠基体１０は、従来の合板によって形成された前面枠とほぼ同等のものであるが、従来の前面枠と相違する点は、枠基体１０の裏面であって遊技盤２２０を収納固定する遊技盤収納枠１２（図２及び図１４参照）が枠基体１０と一体的に形成されている点である。即ち、従来の前面枠と遊技盤収納枠との関係においては、木製の前面枠の裏面に合成樹脂製の遊技盤収納枠を固着しているのに対し、本実施例における枠基体１０は、前面枠に相当する部分も合成樹脂で形成されているので、遊技盤収納枠１２を含む全体を合成樹脂によって一体成形したものであり、これによって工場における組付け作業の簡略化を達成することができるものである。
【００１０】
ところで、上記遊技盤収納枠１２の下方部分も、図２に示すように、板状に形成されており、その一側上部に上皿連通口１３が形成され、該上皿連通口１３の下部前方に溢れ玉誘導部材１４が取着される。溢れ玉誘導部材１４の下流側前方には、抜き玉連通口１５が形成されている。この抜き玉連通口１５は、後述する上皿４０に貯留されていた玉であって玉抜きされた玉が溢れ玉誘導部材１４の内部に流入するための流入口である。また、溢れ玉誘導部材１４は、上皿４０を開放したときに前記上皿連通口１３から溢れた玉や抜き玉連通口１５から流入した玉を遊技盤収納枠１２の下方の板状部分のほぼ中央に形成された下皿誘導口（図示しない）から裏面側に導いて後述する接続樋１９１（図１２参照）を介して後述する下皿１００に導くものである。
【００１１】
また、遊技盤収納枠１２の下方の板状部分の前面であって前記溢れ玉誘導部材１４の側方には、発射点レール１６が固着されている。この発射点レール１６は、上皿４０から１個宛供給される打玉を下流端に形成される発射点で受け止めて後述する打球発射装置２００の打球槌２０２で弾発するために設けられるものである。そして、発射点レール１６の上流端と遊技盤２２０に設けられる誘導レール２２８の下流端との間にファール口が形成され、遊技盤２２０の遊技領域２２９に到達することなく戻ってきた打玉がファール口から前記溢れ玉誘導部材１４に受け入れられて最終的に下皿１００に導かれるものである。
【００１２】
一方、図２に示すように、枠基体１０の左右の両端側には、それぞれ検出器取付穴１７，１８が貫通形成されている。この検出器取付穴１７，１８は、その裏面から検出器を取付けるものであり、図示の実施例では、軸支側に形成される検出器取付穴１７には、図２に示すように検出器１９のアクチュエータが前面側に突出しており、透明板保持枠１３０を開放したときに検出器１９が開放状態を検出し、遊技機本体もしくはホールコンピュータに検出信号を出力するようになっている。また、開放側に形成される検出器取付穴１８には、図示の実施例では検出器が設けられていないが、設けるとすれば、例えば、透明板保持枠１３０を僅かに開放してセル板やピアノ線等の不正具を挿入する不正行為を検出するための不正開放検出器等が考えられる。
【００１３】
更に、枠基体１０の前面枠部分の開口部１１に対応する部分には、軸支側下部に配線通し穴２０（図２参照）、開放側上下にフック連通穴２１ａ，２１ｂ、軸支側中程に干渉回避凹部２２、軸支側の中程上下にヒンジ取付凹部２３，２４（図２参照）、開放側の中程よりやや下方に錠穴２５（図２参照）がそれぞれ形成されている。配線通し穴２０は、透明板保持枠１３０に設けられる後述する電装部品から延びる配線を枠基体１０の裏面側に通すものである。また、フック連通穴２１ａ，２１ｂは、透明板保持枠１３０の開放側に設けられる補強金具１４９の錠フック１４９ａ（後に詳述する）を後方に貫通させて錠装置２１０の係合開口と係合させるものである。干渉回避凹部２２は、透明板保持枠１３０を閉じたときにランプ基板１６０を裏面側から被覆する円弧状の基板カバー１６９の一部との当接状態を回避するためのものであり、このため、干渉回避凹部２２は、円弧状に刻設されている。また、錠穴２５には、錠装置２１０のシリンダー錠２１２が挿入されるものである。
【００１４】
（ニ）枠基体への透明板保持枠及び上皿の取付構造
また、前記ヒンジ取付凹部２３，２４は、それぞれ金属製のヒンジ部材２６，２７を止着する領域である。ヒンジ取付凹部２３（以下、中ヒンジ取付凹部２３という）に止着されるヒンジ部材２６（以下、中ヒンジ部材２６という）は、Ｌ字型に形成され、その水平面にヒンジピン２８が上下に貫通するように固着されている。ヒンジ取付凹部２４（以下、下ヒンジ取付凹部２４という）に止着されるヒンジ部材２７（以下、下ヒンジ部材２７という）は、Ｌ字型に形成され、その水平面に係合穴２７ａ（図２参照）が形成されている。また、枠基体１０の軸支側上部にもヒンジ部材２９（以下、上ヒンジ部材２９という）が止着されるが、この上ヒンジ部材２９は、枠基体１０の裏面側から止着されるようになっている。また、上ヒンジ部材２９は、枠基体１０の前面に当接し且つ係合穴３０ａを有するヒンジ支持部３０と、枠基体１０に対して垂直方向に突設される水平面の下方に向かって突設されるヒンジピン３１と、を備えて構成されるものである。
【００１５】
上記したヒンジ部材２６，２７，２９には、透明板保持枠１３０と上皿４０が取着される上皿取付板４１とが開閉自在且つ着脱自在に取付けられるものである。具体的には、まず、透明板保持枠１３０の着脱構造について説明すると、図２に示すように、透明板保持枠１３０の軸支側上端には、ヒンジピン１４６が後述するスプリング１４７の付勢力により上方に付勢されており、また、軸支側下端裏面には、係合穴１４８ａを有するヒンジ金具１４８がビスで止着されている。しかして、下部のヒンジ金具１４８の係合穴１４８ａに中ヒンジ部材２６のヒンジピン２８の上部突設側に差し込んだ状態で上端のヒンジピン１４６を付勢力に抗して押し下げてヒンジ支持部３０の係合穴３０ａに差し込むことにより、透明板保持枠１３０が枠基体１０に開閉自在に軸支される。逆に、透明板保持枠１３０を取り外す場合には、ヒンジピン１４６を押し下げて係合穴３０ａからヒンジピン１４６を抜き出した後に全体を持ち上げて係合穴１４８ａをヒンジピン２８から外すことにより簡単に行うことができる。なお、透明板保持枠１３０の開閉動作については、後に詳述する。
【００１６】
次に、上皿４０の上皿取付板４１の着脱構造について説明すると、図２に示すように、上皿取付板４１は、その軸支側上端に支点穴４２が設けられる一方、軸支側下端には、後述するカバー部材５０の支点穴５１が設けられている。しかして、上端の支点穴４２を中ヒンジ部材２６のヒンジピン２８の下部突設側に差し込み、その状態で下部の支点穴５１と下ヒンジ部材２７の係合穴２７ａとに図示しないスプリングで付勢されるヒンジピンを差し込むことで、上皿４０の上皿取付板４１が枠基体１０に開閉自在に軸支される。逆に、上皿取付板４１を取り外す場合には、支点穴５１と下ヒンジ部材２７の係合穴２７ａとに差し込まれたヒンジピンを抜き取り、その後、全体を下方に引き下げてヒンジピン２８から支点穴４２を引き抜くことにより簡単に行うことができる。
【００１７】
このように、透明板保持枠１３０や上皿４０の上皿取付板４１を枠基体１０に対して開閉自在であり且つ着脱自在に設けたので、弾球遊技機１の工場における組付け作業や遊技場における点検作業時を簡単に行うことができる。特に、本実施例のように、透明板保持枠１３０に電装部品を備えたものにあっては、電装部品等の故障に基づく修理，交換が必要となることが予想され、そのように予想される場合において、従来の透明板保持枠（ガラス板保持枠）が着脱できない構造のものに比べて、透明板保持枠１３０を取り外すことができるので、修理，交換を簡単に行うことができる。
【００１８】
（ホ）上皿
ここで、枠基体１０の下部で開閉自在に取り付けられる上皿４０の構成について図４及び図５を参照して説明すると、上皿４０は、合成樹脂製の上皿取付板４１の表面に合成樹脂製の皿部材６０と各カバー部材５０，５３とを固着することにより構成されている。上皿取付板４１には、軸支側上端の前記支点穴４２に加えて、各種構成部材６０，５０，５３の取付穴４３と、皿部材６０の配線９８，７５を弾球遊技機１側に接続するための配線挿通穴４４と、軸支側に形成されて皿部材６０の貯留部６２に景品玉又は購入した遊技玉を排出させる景品玉排出口４５と、玉抜きされた景品玉を前記抜き玉連通口１５に導く玉抜き穴４９と、図示しない打球供給装置が取り付けられる打球供給装置取付穴４７と、が穿設されると共に、開放側の上端に玉抜き操作レバー４６が設けられ、更に、皿部材６０を止着するための取付ボス４８が突設されている。前記玉抜き操作レバー４６は、左右方向に移動可能に設けられ、図示しないスプリングの付勢力に抗して一方向に移動させることにより、前記貯留部６２から連続する整列路６３の下流端に設けられる玉抜き弁６５（図５参照）を開放して貯留部６２に貯留されていた玉を上皿取付板４１の裏面に形成される玉抜き路６６（図５参照）を流下させて前記抜き玉連通口１５に導き、最終的に下皿１００に誘導するものである。なお、景品玉排出口４５は、上皿取付板４１を閉じたときに前記上皿連通口１３と連通するようになっている。
【００１９】
一方、皿部材６０は、図５に示すように、貯留部６２が形成される皿主体６１と、該皿主体６１の前方を覆う前方カバー部材８２と、該前方カバー部材８２の下部から後方に向かって前記皿主体６１との間に空間を構成する底カバー部材７９と、前記皿主体６１の下流側上面と前方カバー部材８２とに挾持される操作透視板８７と、からなる複数の部材を組み立てた状態で上皿取付板４１の表面に一体として取着固定されているものである。より詳細には、前記皿主体６１は、その上流側が多数の景品玉を貯留し得る貯留部６２となっており、その下流側は、貯留部６２に連続して景品玉を一列に整列しながら図示しない打球供給装置に送る整列路６３となっている。整列路６３の下流端直前には、玉抜き口６４が形成され、通常の状態では、該玉抜き口６４が玉抜き弁６５によって閉塞されており、前記玉抜き操作レバー４６を操作したときに玉抜き弁６５が前記整列路６３の下方に隠れるようにスライドして玉抜き口６４が開放される。すると、貯留部６２に貯留されていた景品玉は、玉抜き口６４から整列路６３の下方に形成される玉抜き路６６を通って前記玉抜き穴４９から抜き玉連通口１５に誘導され、最終的に下皿１００に誘導される。
【００２０】
また、皿主体６１には、貯留部６２の裏面にフラット玉検出器６７を着脱自在に取り付ける取付部６８が形成されると共に、前記玉抜き路６６の下方に圧電ブザー７０が装着されるブザー取付基板６９を止着するための取付突起７１と取付穴７２とが形成されている。まず、前記フラット玉検出器６７は、貯留部６２に貯留される景品玉の残留量を検出するためにものであり、後述する自動玉貸選択スイッチ９４が操作されている状態でフラット玉検出器６７が景品玉を検出しなくなったときに、後述するカードユニット２８０に投入されているカードに残額情報が記録されていることを条件として、その残額の範囲内で所定数の遊技玉を自動的に貯留部６２に貸し出すために設けられているものである。また、ブザー取付基板６９に形成される挿入穴７３に前記取付突起７１を挿入し、同じくブザー取付基板６９に形成される取付穴７４を前記取付穴７２に対応させた状態でビス７６を螺着することにより、簡単に圧電ブザー７０を皿主体６１に取り付けることができるが、その取り付けた状態では、圧電ブザー７０は、皿主体６１と底カバー部材７９とによって形成される空間内に位置することとなり、底カバー部材７９に形成される後述する音声透過穴８０を介して圧電ブザー７０から発せられる音を遊技者に明確に知らせることができる。なお、この圧電ブザー７０の音は、遊技玉の貸出異常が生じたとき（例えば、ピッ、ピッ、ピッという連続音）、あるいは遊技玉の貸出時（例えば、１００円相当の遊技玉が払い出される毎にピーという音）に、その旨を報知する報知音が発生されるものである。また、ブザー取付基板６９の裏面からは、配線７５が引き出されている。
【００２１】
更に、皿主体６１には、前記玉抜き口６４よりも下流側に供給口７７が形成され、該供給口７７が前記打球供給装置取付穴４７に臨んで図示しない打球供給装置に連通するものである。また、皿主体６１の左右両端には、前方カバー部材８２に組み付けるための組付穴７８が形成されている。
【００２２】
上記した皿主体６１の下方を覆う底カバー部材７９は、楕円形の皿状に形成され、そのほぼ中央に前述した音声透過穴８０が形成されている。また、底カバー部材７９の前方は起立しており、その起立部分に後方に向かって複数の取付ボス８１が突設されている。この取付ボス８１は、前方カバー部材８２の下部に突設される組付ボス８４に前方から嵌入されてビスで止着することにより、底カバー部材７９と前方カバー部材８２とを組付け固定するものである。
【００２３】
上記した皿主体６１及び底カバー部材７９によって形成される空間の前方部分を覆う前方カバー部材８２は、その上面端縁が前記皿主体６１の上端縁形状にほぼ沿って形成され、その下面端縁が底カバー部材７９の前方形状に沿うように形成されている。しかして、前方カバー部材８２の下端には、前述した底カバー部材７９の取付ボス８１と嵌合組付けられる複数の組付ボス８４が突設され、その左右端部には、前記皿主体６１の組付穴７８に対応してビスで止着される組付ボス８５が突設され、更に、皿部材６０全体を上皿取付板４１の取付穴４３に止着するための取着ボス８６が突設されている。また、前方カバー部材８２の下流側には、操作透視板８７を係止装着するための係止片８３が形成されている。
【００２４】
皿主体６１の下流側上面と前方カバー部材８２とに挾持される操作透視板８７は、後述するカードユニット２８０に関連する操作手段が設けられるものである。具体的には、操作透視板８７は、発光源（具体的には残高表示器９７）を視認し得る程度の半透明状の合成樹脂によって形成され、その上面に自動玉貸選択ボタン８８と玉貸ボタン８９と返却ボタン９０とが設けられ、その裏面に突設される取付ボス９１にスイッチ基板９３がビス９９によって止着されている。スイッチ基板９３には、自動玉貸選択ボタン８８に対応する位置に自動玉貸選択スイッチ９４が実装され、玉貸ボタン８９に対応する位置に玉貸スイッチ９５が実装され、返却ボタン９０に対応する位置に返却スイッチ９６が実装され、また、自動玉貸選択スイッチ９４と玉貸スイッチ９５との間に複数の７セグメントＬＥＤからなる残高表示器９７が実装され、その裏面に上記各電気部品の配線９８が接続されている。そして、上記したスイッチ基板９３が取り付けられた状態で操作透視板８７の上端一側に形成される係合溝９２ａを皿主体６１の下流側に形成される係合突起（図示しない）に挿入した後、操作透視板８７の上端他側に形成される係合片９２を前記係合片８３に係合することにより、操作透視板８７を皿主体６１と前方カバー部材８２との間に挾持固定することができる。
【００２５】
上記した操作透視板８７に設けられる電気部品の動作について説明すると、遊技者が自動玉貸選択ボタン８８を操作して自動玉貸選択スイッチ９４をＯＮしたとき（このとき該ボタン８８が点灯するように構成することが望ましい）、前述したように前記フラット玉検出器６７が景品玉を検出しなくなったときに、カードユニット２８０に投入されているカードに残額情報が記録されていることを条件として、その残額の範囲内で所定数毎の遊技玉を自動的に貯留部６２に貸し出すように制御されるため、貯留部６２に残留している玉数を気にすることなく遊技に集中することができる。また、遊技者が玉貸ボタン８９を操作して玉貸スイッチ９５をＯＮしたとき、カードユニット２８０に投入されているカードに残額情報が記録されていることを条件として、その残額の範囲内で所定数の遊技玉（例えば、３００円分に対応する玉数；ただし、この貸出額を任意に変更設定できるようにしても良い）を貯留部６２に貸し出すように制御される。更に、遊技者が返却ボタン９０を操作して返却スイッチ９６をＯＮしたとき、カードユニット２８０に投入されているカードが返却されるように制御される。また、残高表示器９７には、カードユニット２８０にカードを投入している状態においてカードに記録されている残高が表示されるようになっている。
【００２６】
上記のように操作透視板８７において遊技玉の貸出操作を行うことができるが、カードユニット２８０からの貸出指令があったにも拘らず遊技玉の貸出動作が行われなかったときや遊技玉の貸出動作が行われたときには、前記圧電ブザー７０からそれぞれの状態に応じた報知音が発生される。そして、本実施例においては、その報知音が上皿４０の皿部材６０内に収納される圧電ブザー７０から発生され、それ以外の遊技の進行に関係する効果音は、圧電ブザー７０から離れた位置となっている後述する透明板保持枠１３０の上部両端に設けられるスピーカ１５５から発生されるので、圧電ブザー７０から報知される報知音とスピーカ１５５から効果音とを明確に聞き分けることができ、報知音が効果音によってかき消されることがなく、遊技玉の貸出に対する正確な状態を把握することができる。なお、圧電ブザー７０から発せられる音（報知音）は、遊技者に注意を喚起するためのものであるため、楽音ではない音が発せられるが、これをスピーカで構成して楽音又は音声で報知するようにしても良い。
【００２７】
図４に戻って、上皿取付板４１の左右に取り付けられるカバー部材５０，５３は、各々、裏面に突設された取付ボス５２，５４が上皿取付板４１の取付穴４３に係合して裏面からビスで止着されることで、皿部材６０の左右両側に取付け固定されるようになっている。なお、カバー部材５３の開放側端部には、前記錠穴２５と連通する錠穴５６が穿設されたカバー部材５５がその裏面に突設された取付ボス５７によって前記枠基体１０に直接取り付け固定されている。
【００２８】
また、皿部材６０の左右両側に取付けられる各カバー部材５０，５３，５５は、上皿取付板４１の前面に配されて遊技客の不正行為を防止すると共に、弾球遊技機１を正面から見たときに透明板保持枠１３０と上皿取付板４１とを明瞭に区別させない意匠にて形成されることで、装飾的に弾球遊技機１の全体が統一化された印象を与えるようになっている。
【００２９】
また、上皿取付板４１の開放側裏面には、枠基体１０に対して上皿取付板４１を施錠する錠装置５８が設けられている。この錠装置５８は、上皿取付板４１に止着される錠基体５８ｅ（図１５参照）と、該錠基体５８ｅに対して上下動可能に取付けられた可動部材５９ａと、該可動部材５８ａを常時上方に付勢するスプリング５８ｄ（図１５参照）と、を備えており、可動部材５８ａには、その上端に施錠解除用の押圧操作部５８ｂ（図４参照）が形成される一方、下端には枠基体１０側に設けられた係止片５９（図１５参照）と係合する係合爪５８ｃ（図１２参照）が形成されている。なお、錠装置５８の前面側は、前述のように上皿取付板４１とカバー部材５３との二重基板の構造をなしており、タバコやライター等の発熱具による穴空けを防止して、錠装置５８に対する不正操作を防止し得るようになっている。
【００３０】
（ヘ）下皿
枠基体１０の前面枠部分の下方部分は、図２に示すように、板状に形成されており、その前面のほぼ全域に係合凹部３２が刻設されている。この係合凹部３２は、後に詳述する下皿１００やハンドル装置１２０を組付け固定する際に一応の位置決めを行うものであり、組付け作業の容易化を図ることができるものである。また、係合凹部３２には、そのほぼ中央に下皿連通口３３が、その開放側よりの側部にハンドル作動開口３４がそれぞれ開設形成されている。下皿連通口３３には、これに対応して開口部３５ａを備えたカバー部材３５と下皿１００とが取付けられるが、その下皿１００は、複数の部材を組み立てた状態でセット化されて枠基体１０の下部中央に止着固定されているものである。以下、下皿１００の構成について説明する。
【００３１】
下皿１００は、図６に示すように、下皿基体１０１と、該下皿基体１０１に取付けられて前記下皿連通口３３から流下する玉を貯留する玉受部材１０６と、該玉受部材１０６から貯留玉を抜き取る玉抜き装置１０９と、を備えている。下皿基体１０１には、その裏面側に取付ネジ１０２が後方に向けて複数本設けられており、その取付ネジ１０２を枠基体１０側の取付穴３６（図２参照）にナット止めすることで下皿１００が枠基体１０に取付け固定されるようになっている。なお、下皿基体１０１の下端面には、後方に向けて位置決め凸部１０３が突設されており、この位置決め凸部１０３を枠基体１０側の位置決め穴３７（図２参照）に差し込むことで、下皿連通口３３と玉受部材１０６との接続状態を確実に確保すると共に下皿１００の取付作業の容易化を招来している。
【００３２】
また、下皿基体１０１の前面壁には、レバー操作穴１０４が穿設されると共にその裏面側の上下２箇所にレバーガイド１０５が設けられて、玉抜き装置１０９を構成する玉抜き操作レバー１１０がスライド可能に取付けられるようになっている。一方、玉受部材１０６には、該玉受部材１０６を下皿基体１０１にビス止めするための取付穴１０７が穿設されると共に、下面に玉抜き穴１０８が開設されており、この玉抜き穴１０８には、玉抜き装置１０９が臨設されている。玉抜き装置１０９は、前記玉抜き穴１０８を開閉する開閉蓋１１１と、該開閉蓋１１１を摺動自在に収納し且つ前記玉抜き穴１０８に対応する玉抜き穴１１３ａが形成されたカバー部材１１３と、から構成され、開閉蓋１１１は、カバー部材１１３内に収納支持されるスプリング１１２によって常に玉抜き穴１１３ａとの間に挿入された状態に付勢されている。開閉蓋１１１は、その前面側に突設される係合凸部１１１ａが前記玉抜き操作レバー１１０の下部中央に突設される係合凸部１１０ａに係合され、スプリング１１２の付勢力に抗して玉抜き操作レバー１１０が一方向に移動されることで、一連の玉抜き穴１０８，１１３ａを連通して、玉受部材１０６に貯留される打玉を下方（通常、玉箱が設置される）に落下せしめるようになっている。なお、玉抜き装置１０９は、玉受部材１０６の下面から突設される取付ボス１０６ｂにビスで止着されることにより取付けられている。このように、図示の実施例においては、玉抜き操作レバー１１０を下皿１００の前面壁の中央に内蔵して設けたので、従来のように操作レバーを下皿の底面に沿って設けたものに比較して外部からのイタズラによって故障せしめられることが少なくなるという利点がある。
【００３３】
（ト）灰皿
また、上記下皿１００の下皿基体１０１には、図６に示すように、前記玉受部材１０６の隣接位置に灰皿取付部１０１ａが切欠形成されており、該灰皿取付部１０１ａには、熱硬化性樹脂からなる灰皿１１４がカバー部材１１６を介して取付けられるようになっている。カバー部材１１６は、灰皿１１４側のビス止めボス１１５を介して灰皿１１４と一体的に取付け固定されており、その前面形状は、下皿基体１０１の前面形状と連続的な意匠をなしている。また、カバー部材１１６の左右両端には、後方に向かって取付突片１１７が形成されており、該取付突片１１７には、縦長形状の係合穴１１８が穿設されている。そして、この係合穴１１８が下皿基体１０１及び玉受部材１０６に突設された係合凸部１０１ｂ，１０６ａに係合されることで、図７に示す状態で灰皿１１４が下皿基体１０１に取付けられる。なお、このような係合穴１１８と係合凸部１０１ｂ，１０６ａとの係合は、灰皿１１４を下皿基体１０１から引き上げた状態でのみ灰皿１１４の完全回動を可能にするものである。
【００３４】
即ち、図７に示すように、灰皿１１４が下皿基体１０１にセットされた状態で灰皿１１４を回転させた場合では、カバー部材１１６の下面後端部１１６ａと下皿基体１０１の下面前端部１０１ｃとの間隔Ｌ１分しか回転しないのに対して、図８（Ａ）に示すように、灰皿１１４を下皿基体１０１から引き上げた状態では、カバー部材１１６の下面後端部１１６ａは下皿基体１０１の下面前端部１０１ｃに当接することがないので、図８（Ｂ）に示すように、灰皿１１４を完全に回転させることができる。このように、本実施例では、灰皿１１４を下皿基体１０１から引き上げた状態でのみ灰皿１１４の完全回動を可能にすることで、誤って灰皿１１４を回転せしめることがなく、吸い殻等のゴミＧが遊技者の不注意により灰皿１１４から落ちることを回避している。また、灰皿１１４を取付けた下皿基体１０１の左側方には、図２に示すように、カバー部材１１９が前記枠基体１０に取付け固定されている。
【００３５】
（チ）ハンドル装置
また、前記ハンドル作動開口３４に対応してハンドル装置１２０が装着される。ハンドル装置１２０は、前記上皿４０の側壁から装飾的に連続する取付基板１２１に所謂ハンドルが突設されて構成されるものであり、その突設されるハンドルは、図２に示すように、取付基板１２１に直接的に固定される外固定部１２２と、該外固定部１２２の前面側に固定される内固定部１２３と、外固定部１２２と内固定部１２３との間で回動自在に設けられる可動部１２４と、から構成されている。また、取付基板１２１の裏面には、複数の取付ネジ１２５が後方に向かって突設されており、取付ネジ１２５をハンドル作動開口３４の周囲に穿設される取付穴３８に差し込んで裏面から打球発射装置２００の取付基板２０１（図１２参照）と共締めするようにナットで締着することにより、取付基板２０１が枠基体１０に固定される。また、ハンドル作動開口３４の側方には、配線通し穴３９が形成されているが、これは、ハンドル装置１２０内に設けられるスイッチ（メインスイッチやタッチセンサ）の配線１２６を枠基体１０の裏面側に導くものである。
【００３６】
上記のように構成されるハンドル装置１２０においては、可動部１２４を回動せしめることにより、その回動操作が打球発射装置２００側に伝達されて打球発射装置２００の打球槌２０２の発射勢を変化させることができる。このため、可動部１２４を所望の位置まで回動させた状態を手で保持することにより、打玉を一定の速度で弾発することが可能となる。なお、図示の実施例におけるハンドル装置１２０は、取付基板１２１（又は枠基体１０）に対して垂直方向に突設されているわけではなく、やや外側に傾斜した状態で突設されている。これは、遊技者がハンドルを操作する際に手首を不自然に折り曲げた状態ではなく自然な状態にしたままでハンドルを握ることができるように配慮した設計であり、長時間の遊技を行っても疲れないようにしたものである。
【００３７】
（リ）透明板保持枠
透明板保持枠１３０は、前記遊技盤２２０の遊技領域２２９を透視し得るガラス１３１を装着し得るものであると共に、本実施例においては、特に装飾効果及び強度を高め得るように構成されたものである。しかして、本実施例における透明板保持枠１３０は、主枠構成部材１３２と、該主枠構成部材１３２の前面側に装着されて遊技状態等に応じて照明装飾する各種の照明装飾部材と、主枠構成部材１３２の前面側に装着される各補強枠部材１７１，１７６と、を備えている。なお、主枠構成部材１３２には、前記ガラス１３１、遊技時の効果音等を発生する左右一対のスピーカ１５５、及び該スピーカ１５５の前面を被覆する金網状のスピーカカバー１５６も取付け固定されるものである。そこで、以下、透明板保持枠１３０を構成する構成部材毎に順次説明する。
【００３８】
（リ−１）主枠構成部材
まず、主枠構成部材１３２について説明する。主枠構成部材１３２は、図９及び図１０に示すように、ほぼ正方形状の合成樹脂板からなり、その中央部には後述する遊技盤２２０の遊技領域２２９の外周形状に沿った円形状の遊技開口１３３が形成されている。なお、主枠構成部材１３２の左側上端には、前記上ヒンジ部材２９のヒンジ支持部３０との干渉を回避するための切欠部１３２ａが形成されている。主枠構成部材１３２の前面側の上辺部には、照明装飾部材としてのＬＥＤ基板１５７、ＬＥＤカバー１５８、ランプ基板１５９、及びランプカバー１６２の組付け位置を一義的に決める取付凹部１３４が刻設されている。これにより、ＬＥＤ基板１５７、ＬＥＤカバー１５８、ランプ基板１５９、及びランプカバー１６２の組付けの容易化を図ることができる。なお、取付凹部１３４内には、ＬＥＤ基板１５７の電気配線を主枠構成部材１３２の裏面側に引き出すための引出口１３４ａが左右２箇所に開設されている。また、取付凹部１３４の左右側方には、それぞれスピーカ１５５設置用のスピーカ効果穴１３５が開設されると共にスピーカカバー１５６取付け用の取付凹部１３６が刻設されている。また、左側（軸支側）のスピーカ効果穴１３５と取付凹部１３４との間には、照明装飾部材としての各ＬＥＤ基板１６５，１６７を取付けるための取付穴１３７ａ，１３７ｂが開設されている。また、主枠構成部材１３２の左右の各側辺部には、照明装飾部材としての各ランプ基板１６０，１６１を取付けるための取付穴１３８ａ，１３８ｂ，１３９ａ，１３９ｂが前記遊技開口１３３に沿った円弧状にて開設されている。更に、主枠構成部材１３２の下辺部の左右２箇所には、半円形状の窓１４０ａ，１４０ｂが開設されており、該窓１４０ａ，１４０ｂには、後述する遊技盤２２０の各シール２６１，２６３が視認できるように、透明材料からなる窓カバー部材１４１ａ，１４１ｂが主枠構成部材１３２の裏面からビス止め固定されている。
【００３９】
一方、主枠構成部材１３２の裏面側の構造においては、図１１に示すように、前記取付凹部１３４の裏面側に配線収納金具１４２がビス止め固定されると共に、軸支側裏面の上部及び下部に補強金属板１４３，１４４が、また開放側裏面の上部に補強金属板１４５がそれぞれビス止め固定されるようになっている。なお、配線収納金具１４２は、電気配線の収納機能に加えて透明板保持枠１３０の補強機能をも合せ持つものである。補強金属板１４３，１４５には、それぞれスピーカ１５５取付け用の取付穴１４３ａ，１４５ａが穿設されており、補強金属板１４４には、配線挿通用の挿通穴１４４ａが穿設されている。また、補強金属板１４３には、前記上ヒンジ部材２９と係合するヒンジピン１４６がスプリング１４７（図９参照）により上下動可能に設けられる一方、補強金属板１４４の下端に位置する主枠構成部材１３２の裏面には、前記下ヒンジ部材２７と係合するヒンジ金具１４８がビス止め固定されている。また、主枠構成部材１３２の裏面における開放側辺部及び下辺部には、各々、細長形状の補強金具１４９，１５０がビス止め固定されており、補強金具１４９の長手方向における上下２箇所には、前記枠基体１０に形成された上下一対のフック連通穴２１ａ，２１ｂに挿通される錠フック１４９ａが設けられている。なお、主枠構成部材１３２の裏面には、前記検出器取付穴１７，１８の各検出器１９に対応するスイッチ押圧部１３２ｂ，１３２ｃが突設されており、該スイッチ押圧部１３２ｂ，１３２ｃに対応する補強金属板１４４，１４５の各部位には、後方に突出した各スイッチ押圧部１３２ｂ，１３２ｃを貫通せしめるスイッチ挿通穴１４４ｂ，１４５ｂが穿設されている。また、主枠構成部材１３２の取付凹部１３４の下部裏面側には、前記ＬＥＤ基板１５７及びランプ基板１５９の熱抜き開口１３２ｄが４箇所に開設されている。
【００４０】
ところで、前記補強金属板１４３，１４４及び補強金具１４９，１５０には、それぞれ防犯用フランジ辺部１４３ｂ，１４４ｃ，１４９ｂ，１５０ａが後方に向かって突設形成されている。この防犯用フランジ辺部１４３ｂ，１４４ｃ，１４９ｂ，１５０ａは、透明板保持枠１３０を枠基体１０に対して閉じた状態で、枠基体１０の前面に当接した状態となり透明板保持枠１３０と枠基体１０との隙間からピアノ線等の不正具が挿入するのを防止するようになっている。なお、配線収納金具１４２、補強金属板１４３〜１４５、及び補強金具１４９，１５０は、各々、接続状態にて主枠構成部材１３２に取付けられているため、いずれか任意の位置でアース線と接続しておけば、透明板保持枠１３０のいずれの場所で漏電又は静電気が生じていてもそれらをアースして高電圧による障害を防止することも可能である。
【００４１】
（リ−２）ガラスの取付構造
また、主枠構成部材１３２の裏面には、図３に示すように、斜め対角線状に複数（４つ）の金属製のガラス取付支持部材１５１が成形時に一体的に設けられている。ガラス取付支持部材１５１は、その先端部に係合溝が周設されている。このように設けられるガラス取付支持部材１５１に対して、遊技開口１３３よりも若干大きな直径で形成されるガラス収納部材１５２に２枚のガラス１３１を前後面より貼り合わせて構成したセットガラスが装着されるものであるが、その脱着は、極めて簡単に行うことができるようになっている。即ち、ガラス収納部材１５２には、その前面側に前記ガラス取付支持部材１５１を貫通する貫通穴１５３ａを有する取付片部１５３が一体的に形成され、該取付片部１５３の基部に止め金具１５４がビス止めされている。しかして、ガラス１３１を装着するには、ガラス取付支持部材１５１に取付片部１５３の貫通穴１５３ａを貫通させ、その状態で止め金具１５４を回動して係合溝に係止させることによりガラス１３１を主枠構成部材１３２、即ち透明板保持枠１３０に装着することができる。一方、ガラス１３１を取り外す場合には、止め金具１５４を回動させて係合溝との係合を解除した後に、ガラス収納部材１５２全体をガラス取付支持部材１５１から引き抜くことによりガラス１３１を主枠構成部材１３２、即ち透明板保持枠１３０から取り外すことができる。なお、ガラス１３１の脱着は、組付け完成した透明板保持枠１３０を枠基体１０に対して開放した状態で行えることは言うまでもない。また、透明板としてガラスではなく透明な合成樹脂板等を使用したものでも良い。
【００４２】
（リ−３）照明装飾部材
主枠構成部材１３２に取付けられる各種の照明装飾部材は、円弧状の基板本体を有するＬＥＤ基板１５７と、該ＬＥＤ基板１５７の前面を被覆するＬＥＤカバー１５８と、円弧状の基板本体を有する各ランプ基板１５９，１６０，１６１と、該ランプ基板１５９，１６０，１６１の前面を個々に被覆する各ランプカバー１６２，１６３ａ，１６３ｂ，１６４ａ，１６４ｂと、ＬＥＤ基板１６５と、該ＬＥＤ基板１６５に植設された複数のＬＥＤを個々に被覆するレンズ部１６６ａを有するレンズカバー体１６６と、ＬＥＤ基板１６７と、該ＬＥＤ基板１６７に植設された複数のＬＥＤを個々に被覆するレンズ部１６８ａを有するレンズカバー体１６８と、から構成されている。ＬＥＤ基板１５７及びランプ基板１５９は、それぞれ前記取付凹部１３４に上下２段にて主枠構成部材１３２の前方からビス止め固定され、ＬＥＤ及びランプの各カバー１５８，１６２は、それぞれ両端部に形成された係合爪１５８ａ，１６２ａが取付凹部１３４側の係止穴（図示しない）に係止されるようになっている。
【００４３】
また、ランプ基板１６０，１６１は、それぞれ主枠構成部材１３２の裏面側から前記取付穴１３８ａ，１３８ｂ，１３９ａ，１３９ｂにビス止め固定される一方、各ランプカバー１６３ａ，１６３ｂ，１６４ａ，１６４ｂは、それぞれ後述の補強枠部材１７１，１７６にビス止め固定されるようになっている。ＬＥＤ基板１６５，１６７は、個々に各レンズカバー体１６６，１６８に取付け固定され、レンズカバー体１６６，１６８は、それぞれ補強枠部材１７１にビス止め固定されるようになっている。なお、ＬＥＤ基板１５７及び各ランプ基板１５９，１６０，１６１の基板表面（ＬＥＤあるいはランプの配設面）には、それぞれ白色塗料が塗られ、発光を前方（遊技者側）に反射し得るようになっている。また、各ランプ基板１６０，１６１の裏面側には、それぞれ基板カバー１６９，１７０が一体的にビス止め固定され、各基板１６０，１６１を裏面側から保護するようになっている。なお、ＬＥＤ基板１６５に設けられるＬＥＤは、例えば、入賞玉が発生したことに基づいて払出される景品玉の払出し時に表示駆動され、また、ＬＥＤ基板１６７に設けられるＬＥＤは、後述する貯留タンク１８６に貯留される景品玉量が不足したときに表示駆動される等のように、各種照明装飾部材は、それぞれ遊技内容に応じて後述する電飾制御回路基板１９８の制御に基づいて照明装飾されるものである。
【００４４】
（リ−４）補強枠部材（カバー部材）
次に、上記した主枠構成部材１３２に取付けられるカバー部材としての補強枠部材１７１，１７６について説明する。補強枠部材１７１，１７６は、相互にほぼ左右対称形状の合成樹脂板からなり、外周面にはメッキ処理が施されている。補強枠部材１７１は、図９に示すように、右側端部が前記主枠構成部材１３２の開口１３３に沿った円弧状に形成され、その近傍には前記ランプカバー１６３ａ，１６３ｂを取付けるための各取付穴１７２ａ，１７２ｂが円弧状にて穿設されている。また、補強枠部材１７１の上側には、前記スピーカカバー１５９を取付けるための取付穴１７３と、レンズカバー体１６６，１６８の各レンズ部１６６ａ，１６８ａを貫通するための複数の貫通穴１７４と、が穿設されている。なお、補強枠部材１７１の左側上端には、主枠構成部材１３２と同様に、前記上ヒンジ部材２９との干渉回避用の切欠部１７５が形成されている。
【００４５】
一方、補強枠部材１７６は、左側端部が前記主枠構成部材１３２の開口１３３に沿った円弧状に形成され、その近傍には前記ランプカバー１６４ａ，１６４ｂを取付けるための各取付穴１７７ａ，１７７ｂが円弧状にて穿設されている。また、補強枠部材１７６の上側には、前記スピーカカバー１５９を取付けるための取付穴１７８が穿設されている。そして、上記のような補強枠部材１７１，１７６は、それぞれ裏面側に突設されたビス止めボス１７１ａ，１７６ａを介して主枠構成部材１３２に取付け固定されるようになっている。
【００４６】
（リ−５）透明板保持枠の開閉構造
以上、説明した主枠構成部材１３２に補強枠部材１７１，１７６等を組合せて構成される透明板保持枠１３０は、図１及び図２に示すように、枠基体１０の横幅寸法とほぼ同じ寸法を有し、このため、遊技者の正面からの視野においては、枠基体１０の上方部で枠基体１０を視認することはできず透明板保持枠１３０が視認されることとなる。そして、透明板保持枠１３０は、枠基体１０に対して開閉自在に設けられることは、前述した通りであり、透明板保持枠１３０は、上端部をヒンジピン１４６とヒンジ支持部３０の係合穴３０ａとの軸受状態で、下端部をヒンジ金具１４８の係合穴１４８ａと中ヒンジ部材２６のヒンジピン２８との軸受状態でそれぞれ開閉自在に設けられるものであるが、下端部のヒンジ金具１４８の係合穴１４８ａの外側には、図示しない係合突部が突設され、一方、中ヒンジ部材２６の垂直辺部の外側にも図示しない係合部が立設形成されている。しかして、透明板保持枠１３０を開放したときには、ヒンジ金具１４８の係合突部が中ヒンジ部材２６の係合部に当接してそれ以上開放できないようになっており、これにより透明板保持枠１３０を勢いよく開放してもガラス１３１が破損したり、あるいは透明板保持枠１３０の表面に設けられる各種構成部材が破損したりすることはない。
【００４７】
（リ−６）透明板保持枠の施錠構造
透明板保持枠１３０は、上記したように枠基体１０に対して開閉自在に設けられるが、通常の使用時においては、これを閉じておかなければならないので、当然のことながら開放側を施錠する必要がある。このため、図２に示すように、枠基体１０の開放側裏面に錠装置２１０が取付けられている。なお、錠装置２１０は、透明板保持枠１３０の施錠ばかりでなく、枠基体１０の外枠２に対する施錠をも行うことができる、いわゆるＷ錠となっている。そこで、この錠装置２１０について図２及び図１５を参照して説明する。錠装置２１０は、断面Ｌ字型に形成される取付基板２１１に集約して形成され、取付基板２１１の一方辺が枠基体１０への取付面２１１ａをなしている。該取付面２１１ａの下方寄りには、シリンダー錠２１２が取付けられている。
【００４８】
取付基板２１１の他方辺には、取付基板２１１に対して上下動可能なように可動部材（図示しない）が取付けられており、該可動部材の上端部及び下端部には、それぞれ錠フック２１３が設けられている。錠フック２１３の先端は、錠フック２１３に向けて傾斜する誘導傾斜部２１４となっているが、これは、枠基体１０を押して閉じるときに外枠２の内側上下に固定される係止金具６ａ，６ｂに当接案内されながら最終的に錠フック２１３と係止金具６ａ，６ｂとを係合させるためのものである。なお、下方の誘導傾斜部２１４には、側方に突出する操作部２１５が突設されており、手の操作で可動部材を上昇せしめるときに使用するものである。また、可動部材は、取付基板２１１との間に張架されたスプリング（図示しない）により常時下方に付勢されている。
【００４９】
一方、取付基板２１１の一方辺（取付面２１１ａ）にも、前記可動部材と同様の作動部材（図示しない）が上下動可能に取付けられている。該作動部材は、スプリング（図示しない）により常時上方に付勢されており、その中央部には、手動操作用の操作杆２１６が突設されている。また、取付面２１１ａには、その上端部と中央よりやや下方に長方形状の連通口２１７が開設されており、該連通口２１７に対応する作動部材の部位には、図示しない係合開口が開設されている。なお、連通口２１７及びこれに対応する係合開口には、透明板保持枠１３０の開放側に設けられる錠フック１４９ａが貫通するものである。
【００５０】
上記のように構成される錠装置２１０の作用について簡単に説明する。まず、外枠２に対する枠基体１０の解錠及び施錠について説明すると、遊技場の店員がシリンダー錠２１２に図示しない所定の鍵を差し込んで時計回転方向に回すと、スプリングの付勢力に抗して可動部材が上昇され、これに伴って錠フック２１３も上昇される。このため、錠フック２１３と外枠２の係止金具６ａ，６ｂとが係合位置関係となっていないので、その状態でシリンダー錠２１２に差し込んだままの鍵を引っ張ることにより枠基体１０全体を回動させて開放することができる。一方、開放した枠基体１０を閉じるときには、そのまま枠基体１０を押し込むことにより錠フック２１３の誘導傾斜部２１４と係止金具６ａ，６ｂとの当接により可動部材がスプリングの付勢力に抗して上昇し、遂には、錠フック２１３が係止金具６ａ，６ｂと係合する位置でスプリングの付勢力により可動部材が下降して錠フック２１３と係止金具６ａ，６ｂとが完全に施錠された状態となる。
【００５１】
次に、枠基体１０に対する透明板保持枠１３０の解錠及び施錠について説明すると、遊技場の店員がシリンダー錠２１２に図示しない所定の鍵を差し込んで反時計回転方向に回すと、スプリングの付勢力に抗して作動部材が下降する。このため、作動部材の係合開口と錠フック１４９ａとの係合が解除されて透明板保持枠１３０が開放される。一方、開放した透明板保持枠１３０を閉じるときには、そのまま透明板保持枠１３０を押し込むことにより錠フック１４９ａが枠基体１０に形成されたフック連通穴２１ａ，２１ｂを貫通して錠装置２１０の連通口１１７に侵入し、上昇している作動部材の係合開口の一部に侵入する。その状態でさらに押し込むことにより錠フック１４９ａの先端下辺の傾斜部と係合開口との当接により作動部材がスプリングの付勢力に抗して上昇し、遂には、係合開口が錠フック１４９ａと係合する位置でスプリングの付勢力により作動部材が上昇して錠フック部１４９ａと係合開口とが完全に施錠された状態となる。なお、透明板保持枠１３０を解錠する場合には、枠基体１０を開放した状態で操作杆２１６を押し下げることによっても行うことができる。
【００５２】
以上、透明板保持枠１３０を構成する部材の詳細な説明をしてきたが、これらの構成部材を組付けて完成される透明板保持枠１３０は、前述したように枠基体１０の横幅寸法と同じ横幅寸法を有し且つ透明板保持枠１３０の遊技開口１３３を遊技盤２２０の遊技領域２２９の外周形状に沿った形状として構成したので、図１に示すように、弾球遊技機１の正面上部は、透明板保持枠１３０と該透明板保持枠１３０のガラス１３１を介して視認し得る遊技盤１００の遊技領域１０２だけであり、従来の画一した正方形状の正面形状と大幅に異なる印象を遊技者に与えることができる。また、遊技盤２２０の下方には、後述するように一般的に証明用シール２６１，２６３が貼付されているが、その証明用シール２６１，２６３は、弾球遊技機１の正面から視認し得るようにする必要があり、上記のように透明板保持枠１３０を遊技領域２２９の外周形状に沿った形状とした場合に、証明用シール２６１，２６３が正面から視認できなくなるが、本実施例においては、遊技開口１３３の下部左右の両方に証明用シール２６１，２６３を透視し得る窓１４０ａ，１４０ｂが形成されているので、上記のような証明用シール２６１，２６３が視認できないということはない。
【００５３】
また、透明板保持枠１３０の遊技開口１３３の形状を遊技領域２２９の形状と同一として遊技開口１３３に沿って照明装飾部材１６２，１６３ａ，１６３ｂ，１６４ａ，１６４ｂを透明板保持枠１３０に設けることにより、従来多くの遊技盤で誘導レールの外周に沿って設けられるレール飾りランプを遊技盤に設ける必要がなくなり、遊技盤の交換毎にそれらも同時に交換しなければならないという不経済をなくすことができる。
【００５４】
なお、本実施例の場合、透明板保持枠１３０における正面構造において主枠構成部材１３２の左右前面にカバー部材である補強枠部材１７１，１７６が装着されているので、透明板保持枠１３０は、基本的に二重基板の構造を持つことになる。このため、透明板保持枠１３０の強度が向上でき、タバコやライター等の発熱具による不正の穴空け行為を防止することができる。また、本実施例では、枠基体１０に開閉自在に設けた上皿４０の左右両側には各カバー部材５１，５４，５６が、枠基体１０に固設した下皿６０の側方にはカバー部材７９が、また外枠２の左右両側にはカバー部材５ａ，５ｂが、それぞれ装着されているので、透明板保持枠１３０と同様に弾球遊技機１の前面側に配置される構成部材の強度が向上でき、ひいては弾球遊技機１全体における穴空けの不正行為を防止することができる。また、穴空けの不正行為を防止するカバー部材の装着部位は、本実施例記載の部位に限定するものではなく、弾球遊技機の構成に応じて適宜変更することも可能である。なお、以上のように穴空けの不正行為を防止する各カバー部材は、それぞれ弾球遊技機１の左右の前面側に装着されることで、最終的には枠基体１０、上皿４０、あるいは透明板保持枠１３０の開閉機構（ヒンジや錠装置等）に対する不正を防止するようになっている。また、カバー部材は、各々、合成樹脂によって所望の形状に形成されると共に、外周面にはメッキ処理が施されているため、弾球遊技機１の前面は、上端部から下端部にかけて統一的且つ近未来的な意匠をなし、弾球遊技機１全体の視覚的な興趣の向上を可能にしている。
【００５５】
（ヌ）枠基体の裏面構造
枠基体１０の前面側構造及び前面側に取付けられる各部品の構造は、概ね上記した通りであるが、枠基体１０の裏面構造について図１２乃至図１４を参照して説明する。前述したように、枠基体１０の裏面側には、遊技盤収納枠１２が合成樹脂によって一体的に成形されている。しかして、遊技盤収納枠１２は、遊技盤２２０を支持し且つ固定するものであるため、遊技盤２２０を正確に固定するための部品を有する。また、遊技盤収納枠１２は、遊技盤２２０の裏面に設けられて所定個数の景品玉を払い出すための各種の機構が設けられる機構板１８０を正確に取付けるための部品も有する。具体的には、遊技盤２２０を収納固定する部品として複数の遊技盤基準ピン１２ａ（図１３参照）と複数の固定手段２２２（図１４参照）とがある。遊技盤基準ピン１２ａは、遊技盤２２０を遊技盤収納枠１２に装着する際に遊技盤２２０の特定の位置に形成された基準穴２２１に係合させるものであり、これにより遊技盤２２０を遊技盤収納枠１２の正確な位置に装着することができるものである。なお、枠基体１０における遊技盤収納枠１２の成形部位には、図１３に示すように、空洞１２ｂが設けられている。この空洞１２ｂは、遊技盤収納枠１２の一体成形において枠基体１０の表面側にヒケ（成形時の変形）が発生するのを防止するためのものであり、枠基体１０の成形時にガスを注入するガスインジェクション成形法により形成されるものである。また、固定手段２２２は、一端側が遊技盤収納枠１２に取付け固定され且つ他端側に螺合溝が形成されたボルトピン２２３と、該ボルトピン２２３に挿通されたワッシャ２２４、固定腕２２５、及びスプリング２２６と、ボルトピン２２３に螺着されたナット２２７と、から構成されている。そして、遊技盤２２０を遊技盤収納枠１２に正確に装着した状態で、固定手段２２２の固定腕２２５を回動することにより、遊技盤２２０の裏面から押圧して遊技盤２２０を遊技盤収納枠１２に堅固に固定するようになっている。
【００５６】
一方、機構板１８０を取付けるための部品としては、固定ピン１８１と上下一対のヒンジ部材１８２，１８３とがある。ヒンジ部材１８２，１８３は、枠基体１０の軸支側の裏面に対応する遊技盤収納枠１２の上下に固着される金属製のものであり、このヒンジ部材１８２，１８３に機構板１８０の端部上下に設けられる軸支部（図示しない）を係合させることにより機構板１８０を開閉自在に且つ着脱自在に設けることができる。また、機構板１８０を閉じた状態で固定ピン１８１が機構板１８０に形成された係合穴を通過して先端部が機構板１８０の裏面に突出し、その突出した部分を機構板１８０に回動自在に軸支される係止部材１８４で係止することにより、機構板１８０を遊技盤２２０の裏面に密着した状態で係止することができる。
【００５７】
（ル）機構板
一方、上記した遊技盤２２０の裏面を覆う機構板１８０は、図１２に示すように、遊技盤２２０の後面に取り付けられる後述する入賞玉集合カバー体２７０と対応する部分に方形状の開口１８５が形成され、機構板１８０が閉じられたときに、遊技盤２２０に設けられる可変表示装置２３０の後方突出部を覆う表示装置収納ボックス２７１が後方に貫通し得るようになっている。また、機構板１８０の前面側には、主として前記入賞玉集合カバー体２７０に形成された誘導径路に沿って流下した入賞玉を集合せしめる入賞玉集合樋（図示しない）が形成されるが、機構板１８０の後面側には、その最上部に景品玉として供される多量の玉を貯留する貯留タンク１８６が取着され、該貯留タンク１８６の下方に貯留タンク１８６から流出する玉を複数列（例えば、２列）に整列しながら流下せしめる誘導通路１８７が傾斜状に設けられ、該誘導通路１８７の末端に前記開口１８５の側方に配置され且つ前記誘導通路１８７からの整列された玉を受け入れて入賞玉信号に基づいて所定個数の景品玉を払い出す景品玉払出装置１８８が接続されている。なお、誘導通路１８７の上流側には、玉切れ検出器１８７ａが設けられ、該玉切れ検出器１８７ａがＯＮしたときに前記ＬＥＤ基板１６７に設けられるＬＥＤが点灯するようになっている。
【００５８】
前記景品玉払出装置１８８から払い出された景品玉は、景品玉払出通路１８９の下流側に設けられる景品玉流出口（図示しない）から前記上皿連通口１３及び景品玉排出口４５を介して上皿４０の貯留部６２に導かれる。上皿４０が景品玉で満杯となったときには、景品玉流出口の側方から下方部にかけて形成される余剰玉通路１９０に溢れて下方に流下し、その余剰玉通路１９０の末端に接続される接続樋１９１から前記下皿１００の玉受部材１０６に導かれる。なお、前記景品玉払出装置１８８は、前記入賞玉集合樋に集められた入賞玉を１個ずつ処理する入賞玉処理装置（図示しない）に含まれる入賞玉検出器１９７が入賞玉を検出することにより駆動されるものである。また、この入賞玉検出器１９７がＯＮすると前記ＬＥＤ基板１６５に設けられるＬＥＤが所定時間点灯されるものである。更に、前記余剰玉通路１９０の下部一側には、満タン検出器１９２が設けられ、該満タン検出器１９２がＯＮすると、打球発射装置２００の打球モータ２０３の駆動が停止されるようになっている。
【００５９】
機構板１８０の概の構成は、上記した通りであるが、図示の実施例では、機構板１８０の裏面上部にターミナル基板ボックス１９３が設けられ、更に、開口１８５の下部に遊技制御回路基板１９５が着脱自在に取付けられ、前記景品玉払出通路１８９の後面にカードユニット中継基板１９４が取り付けら、前記遊技制御回路基板１９５の下方に払出制御回路基板１９６が取り付けられている。ターミナル基板ボックス１９３は、弾球遊技機１に電源を供給する電源線や弾球遊技機１と遊技場の管理コンピュータ（図示しない）との情報信号をやり取りするための端子等が設けられるものであり、遊技制御回路基板１９５は、遊技盤２２０に設けられる可変表示装置２３０や可変入賞球装置２４０等の動作を制御するものである。このため、遊技制御回路基板１９５には、前記入賞玉集合カバー体２７０の裏面に取り付けられる第１中継基板２７２や第２中継基板２７３からの配線や、可変表示装置２３０からの配線が接続されるようになっている。なお、機構板１８０を開閉する際には、これらの配線の接続を取り外すことが必要となる。また、カードユニット中継基板１９４は、後述するカードユニット２８０と前記上皿４０の操作透視板８７に設けられる操作具や払出制御回路基板１９６とを中継するものであり、払出制御回路基板１９６は、入賞信号又は貸出信号を受けて前記景品玉払出装置１８８を制御して景品玉又は遊技玉を払い出すものである。
【００６０】
（ヲ）枠基体のその他の裏面構成
枠基体１０のその他の裏面構成としては、図１２に示すように、枠基体１０の裏面下部一側に打球発射装置２００が取付けられている。この打球発射装置２００は、取付基板２０１に打玉を弾発する打球槌２０２と、該打球槌２０２に往復回動動作を付与する打球モータ２０３と、打球槌２０２の往復動作に連動して上下動し且つ図示しない打球供給装置を駆動する玉送り昇降杆２０４等を集約して設けることにより構成されており、前記ハンドル装置１２０と関連づけられている。また、打球発射装置２００の設置位置と反対側には、透明板保持枠１３０に設けられる電装部品の動作を制御し且つスピーカ１５５の音量を段階的に調整する音量調整スイッチ１７９を含む電飾制御回路基板１９８が取付けられている。そして、この電飾制御回路基板１９８と透明板保持枠１３０に設けられる電装部品とを接続する配線が乱雑にならないように枠基体１０の軸支側裏面一側には、配線処理部材が設けられている。この配線処理部材は、枠基体１０と一体的に成形しても良いし、あるいは別体の処理部材を止着しても良い。また、配線処理部材の形状は、配線をまとめることができるものであればどのような形状，構造のものであっても良い。更に、枠基体１０の開放側裏面には、外枠２に対する枠基体１０の施錠、及び枠基体１０に対する透明板保持枠１３０の施錠を行う錠装置２１０が取付けられるが、この錠装置２１０については、前述したとおりである。
【００６１】
（ワ）遊技盤
以上、説明した弾球遊技機１の各構成部材は、いわゆる弾球遊技機１の本体側を構成するものであり、この弾球遊技機本体に着脱交換自在に取り付けられる遊技盤２２０の構成について図１６乃至図１９を参照して説明する。遊技盤２２０は、前記遊技盤収納枠１２に収納固定されるべく、ほぼ正方形状の合板により形成され、その表面には、円形うず巻き状に誘導レール２２８が形成され、該誘導レール２２８の内側が遊技領域２２９とされて発射された打玉が落下するものである。遊技領域２２９には、図示の場合、可変表示装置２３０や可変入賞球装置２４０が設けられると共に、単に打玉を入賞とする入賞口、打玉の流下方向，速度を変化せしめる風車又は多数の障害釘が設けられ、また、遊技領域２２９の最下方には、いずれの入賞領域にも入賞しない打玉が取り込まれるアウト口２３９が設けられている。
【００６２】
より詳細に説明すると、可変表示装置２３０は、複数の回転ドラム２３１ａ〜２３１ｃを有し、該回転ドラム２３１ａ〜２３１ｃの外周には、複数の図柄が描かれている。しかして、遊技領域２２９を落下する打玉が可変表示装置２３０の下方に配置される始動入賞口２３４に入賞して始動入賞玉検出器２３４ａ（図１８に示すように可変入賞球装置２４０が設けられる位置の遊技盤２２０の裏面側に設けられる）をＯＮせしめると、回転ドラム２３１ａ〜２３１ｃが変動を開始し、所定時間（例えば、５秒）が経過すると左、右、中の順で停止し、その停止時に表示される図柄の組合せが予め定められた大当り図柄の組合せと一致したときに大当り遊技状態となって次に説明する可変入賞球装置２４０の開閉板２４３を一定時間（例えば、２５秒〜２９秒）が経過するまで、あるいはその一定時間が経過する前に所定個数（例えば、１０個）の入賞玉が開放する開放サイクルを後述する特定玉検出器２４４がＯＮすることを条件として所定回数（例えば、１６回）繰り返すようになっている。なお、可変表示装置２３０には、その上部に入賞口２３２が形成され、その下部に回転ドラム２３１ａ〜２３１ｃを回転せしめる権利を留保した旨を報知する始動記憶表示器２３３が一体的に設けられている。
【００６３】
次に可変入賞球装置２４０について説明するが、可変入賞球装置２４０を説明する前に、遊技領域２２９に設けられる他の構成部材について説明する。まず、上記した可変表示装置２３０は、遊技領域２２９のほぼ中央に配置され、可変入賞球装置２４０は、遊技領域２２９の下部であって前記アウト口２３９の上方に配置される。そして、可変表示装置２３０と可変入賞球装置２４０との間には、前記始動入賞口２３４が配置され、可変表示装置２３０の左右上部側方にランプ付風車２３５が配置され、更に、遊技領域２２９の左右上部に前記した大当り遊技状態となったときに点灯又は点滅してその旨を報知するサイドランプ２３６が配置されている。また、誘導レール２２８の先端であって遊技領域２２９への入口部分には、一旦遊技領域２２９に到達した打玉を誘導レール２２８内に逆流しないようにするための逆流防止装置２３７が設けられ、その反対側上部には、当該遊技において得られる景品玉数を表示する賞品数表示シール２３８が設けられている。
【００６４】
本実施例における可変入賞球装置２４０は、その主要部分は、従来の可変入賞球装置とあまり変わらないが、全体の印象が大きく異なる形状を有している。即ち、可変入賞球装置２４０は、円形状の遊技領域２２９の下半分の形状に対応するように円弧状の取付基板２４１を有し、該取付基板２４１のほぼ中央に長方形状の入賞領域２４２が開設され、その入賞領域２４２を開閉板２４３で開閉するようになっている。開閉板２４３は、図示しないソレノイドによって開閉制御されるものであり、その具体的な動作は、前記した大当り遊技状態における動作である。このため、開閉板２４３内の入賞領域は、明瞭に図示しないが、２つに区分され、一方の区分に打玉が入賞したときには、特定玉検出器２４４によって検出されて前記開放サイクルの継続を保証することとなり、他方の区分に打玉が入賞したときには、入賞玉検出器２４５によって検出されて開放サイクルにおける開閉板２４３の開放長さを規制することとなる。また、開閉板２４３の下方には、突出障害部材２５８が突設されているが、この突出障害部材２５８の前面には、大当り遊技状態における開放サイクルの回数を表示する回数表示器２４６と、１回の開放サイクルにおける開閉板２４３内への入賞玉数を表示する個数表示器２４７とが臨むようになっている。なお、入賞領域２４２を開閉する部材として図示のような１枚の板からなる開閉板２４３だけでなく、一対の羽根状の開閉部材であっても良い。
【００６５】
上記した構成だけからなる可変入賞球装置は、従来から数多く知られているが、本実施例においては、上記した構成に加えて取付基板２４１の左右に円弧状に延設された部分には、その円弧状上端部に第１の入賞口としての入賞口２４８ａ，２４８ｂが形成され、また、円弧状基部にも第２の入賞口としての入賞口２４９ａ，２４９ｂが形成され、入賞口２４８ａ，２４８ｂと入賞口２４９ａ，２４９ｂとの間は、打玉の通過し得る通過間隔２５０ａ，２５０ｂとなっている。そして、上記入賞口２４８ａ，２４８ｂと入賞口２４９ａ，２４９ｂとの間の前面に亘って、透過飾り板２５１ａ，２５１ｂが円弧状に装着され、その透過飾り板２５１ａ，２５１ｂの下方の取付基板２４１には、複数の飾りＬＥＤ２５３が設けられている。このため、飾りＬＥＤ２５３が点灯又は点滅作動されたときには、開閉板２４３の両端部から円弧状の上端、即ち、誘導レール２２８の下半分に沿った状態で光学的な装飾効果を高めることができる。このような遊技領域２２９の下方であって誘導レール２２８に沿った透過飾り板２５１ａ，２５１ｂによる装飾及び飾りＬＥＤ２５３による光学的装飾は、従来において全くなく、遊技者に与える印象度は、大幅に異なるものである。また、第１の入賞口２４８ａ，２４８ｂと通過間隔２５０ａ，２５０ｂとの間の内側側面は、打玉を誘導する玉誘導面２５２ａ，２５２ｂとなっており、その玉誘導面２５２ａ，２５２ｂに沿って落下する打玉の多くを可変入賞球装置２４０の中心に形成される開閉板２４３に向けて誘導するものであり、一部の打玉を通過間隔２５０ａ，２５０ｂの間から下方に導くものである。なお、取付基板２４１には、前記透過飾り板２５１ａ，２５１ｂの外側に密着する状態であって、通過間隔２５０ａ，２５０ｂを除く位置に光を透過する材料で構成される飾りレンズ部材２５４ａ，２５４ｂ、２５６ａ，２５６ｂが設けられ、該飾りレンズ部材２５４ａ，２５４ｂ、２５６ａ，２５６ｂ内にもそれぞれ飾りＬＥＤ２５５，２５７が設けられている。なお、上記実施例では、第２の入賞口２４９ａ，２４９ｂを入賞領域２４２に臨設するものを示したが、必ずしも第２の入賞口２４９ａ，２４９ｂはなくてもよく、入賞領域２４２の両端部と第１の入賞口２４８ａ，２４８ｂとの間を通過間隔２５０ａ，２５０ｂとしても良い。
【００６６】
また、遊技盤２２０の表面下方であって誘導レール２２８の外側左右に、ビス止め固定された各種のシール貼付台座２６０，２６２を介してアミューズメントシール２６１、及び証紙シール２６３が取付けられている。このアミューズメントシール２６１及び証紙シール２６３は、いわゆる証明用シールといわれるもので、弾球遊技機１が遊技場に設置されたときにそれらが関係機関によって正規に認められたものであるということを証明するためのものであるため、通常の状態で前方から容易に視認される必要があるが、本実施例においては、その貼付位置に対応する前記透明板保持枠１３０の下部左右に窓１４０ａ，１４０ｂが形成されているので、その窓１４０ａ，１４０ｂを介してアミューズメントシール２６１、証紙シール２６３を容易に視認することができるようになっている。なお、それらの証明シールを台座２６０，２６２を介することなく、遊技盤２２０の表面に直接貼付しても良いが、台座２６０，２６２に貼付する場合には、当然のことながら、台座２６０，２６２の遊技盤２２０への取付位置が規定されることとなり、結果的に窓１４０ａ，１４０ｂの位置に正確に対応して証明シール２６１，２６３を貼付し得るという利点がある。また、証明用シール２６１，２６３は、必ずしもシールでなくても良く、遊技盤２２０又は台座２６０，２６２に直接印刷したもの、あるいは金属や合成樹脂で成形したものでも良く、要は、関係機関によって正規に認められたものであれば、どのようなものでも良い。
【００６７】
一方、遊技盤２２０の裏面には、図１２に示すように、前記可変表示装置２３０の後面構造物である表示装置収納ボックス２７１が遊技盤２２０の裏面に直接的に止着され、該表示装置収納ボックス２７１の周囲を囲むように入賞玉集合カバー体２７０が取付けられている。入賞玉集合カバー体２７０は、各種の入賞口や入賞球装置に入賞した入賞玉を所定の流路にしたがって誘導する誘導径路が形成されるものである。また、入賞玉集合カバー体２７０の裏面には、遊技盤２２０に配置される入賞口や入賞球装置等に付設されるスイッチや装飾用発光源の電装部品の配線が接続される第１中継基板２７２と第２中継基板２７３（これらを１つの中継基板にまとめたものでも良い）とが取付けられている。第１中継基板２７２と第２中継基板２７３は、遊技盤２２０に設けられる各種の電装部品と前記遊技制御回路基板１９５とを中継するために設けられるものである。更に、遊技盤２２０の裏面には、前記アウト口２３９に対応する位置の下流側にアウト玉通路（図示しない）が刻設され、このアウト玉通路に沿ってアウト玉が下方に導かれる。アウト玉通路から下方に導かれたアウト玉は、前記遊技盤収納枠１２の下辺ほぼ中央に形成される玉誘導通路（図示しない）から機構板１８０に形成されるアウト玉排出通路（図示しない）に導かれるようになっている。
【００６８】
（カ）カードユニット
次に、上記した弾球遊技機１に隣接されるカードユニット２８０の構成について図１を参照して説明する。前述したように、前記上皿４０には、その上面にカードユニット２８０を介して遊技玉を借り受ける際に操作する操作部が設けられている。しかして、カードユニット２８０は、使用可能状態であるか否かを表示する稼働表示器２８１と、カード内に記録された残額情報に端数（１００円未満の数）が存在する場合にその端数を前記残高表示器９７に表示させるための端数表示スイッチ２８２と、当該カードユニット２８０がいずれの側の弾球遊技機１に対応しているか否かを表示する連結台方向表示器２８３と、カードがカードユニット２８０内に投入中であることを表示するカード挿入中表示器２８４と、記録媒体としての磁気カードを挿入するカード挿入・排出口２８５とが設けられている。そして、このように構成されるカードユニット２８０は、独自の制御回路によって制御されるものであるが、上皿４０に設けられる前記選択スイッチ９４，玉貸スイッチ９５、返却スイッチ９６、及び残高表示器９７や、前記払出制御回路基板１９６とを接続する必要があるため弾球遊技機１の裏面に設けられる機構板１８０には、カードユニット中継基板１９４（図１２参照）が設けられており、該カードユニット中継基板１９４にカードユニット２８０のコネクタから延設される配線が接続されている（図１２参照）。なお、カードユニット２８０を弾球遊技機１に内蔵しても良い。
【００６９】
以上、実施例に係る弾球遊技機１の構成について詳細に説明してきたが、本実施例によれば、透明板保持枠１３０の遊技開口１３３を遊技盤２２０の遊技領域２２９の外周形状に沿った形状として構成したので、弾球遊技機１の正面上部は、透明板保持枠１３０と該透明板保持枠１３０のガラス１３１を介して視認し得る遊技盤１００の遊技領域１０２だけであり、従来の画一した正方形状の正面形状と大幅に異なる印象を遊技者に与えることができる。また、遊技盤２２０の下方には、証明用シール２６１，２６３が貼付されているが、その証明用シール２６１，２６３は、弾球遊技機１の正面から視認し得るようにする必要があり、上記のように透明板保持枠１３０を遊技領域２２９の外周形状に沿った形状とした場合に、証明用シール２６１，２６３が正面から視認できなくなるが、本実施例においては、遊技開口１３３の下部左右の両方に証明用シール２６１，２６３を透視し得る窓１４０ａ，１４０ｂが形成されているので、上記のような証明用シール２６１，２６３が視認できないということはない。
【００７０】
また、本実施例においては、カードユニット２８０からの貸出指令があったにも拘らず遊技玉の貸出動作が行われなかったときや遊技玉の貸出動作が行われたときには、圧電ブザー７０からそれぞれの状態に応じた報知音が発生されるが、その報知音が上皿４０の皿部材６０内に収納される圧電ブザー７０から発生され、それ以外の遊技の進行に関係する効果音は、圧電ブザー７０から離れた位置となっている透明板保持枠１３０の上部両端に設けられるスピーカ１５５から発生されるので、圧電ブザー７０から報知される報知音とスピーカ１５５から効果音とを明確に聞き分けることができ、報知音が効果音によってかき消されることがなく、遊技玉の貸出に対する正確な状態を把握することができる。
【００７１】
更に、本実施例においては、可変入賞球装置２４０の取付基板２４１のほぼ中央に長方形状の入賞領域２４２を形成した従来の構成と同じ構成に加えて取付基板２４１の左右に円弧状に延設された部分には、その円弧状上端部に第１の入賞口としての入賞口２４８ａ，２４８ｂが形成され、また、円弧状基部にも第２の入賞口としての入賞口２４９ａ，２４９ｂが形成され、入賞口２４８ａ，２４８ｂと入賞口２４９ａ，２４９ｂとの間は、打玉の通過し得る通過間隔２５０ａ，２５０ｂとし、上記入賞口２４８ａ，２４８ｂと入賞口２４９ａ，２４９ｂとの間の前面に亘って、透過飾り板２５１ａ，２５１ｂが円弧状に装着され、その透過飾り板２５１ａ，２５１ｂの下方の取付基板２４１には、複数の飾りＬＥＤ２５３が設けられている。このため、飾りＬＥＤ２５３が点灯又は点滅作動されたときには、開閉板２４３の両端部から円弧状の上端、即ち、誘導レール２２８の下半分に沿った状態で光学的な装飾効果を高めることができる。このような遊技領域２２９の下方であって誘導レール２２８に沿った透過飾り板２５１ａ，２５１ｂによる装飾及び飾りＬＥＤ２５３による光学的装飾は、従来において全くなく、遊技者に与える印象度は、大幅に異なるものである。
【図面の簡単な説明】
【００７２】
【図１】実施例に係る弾球遊技機１の正面図である。
【図２】弾球遊技機の主要構成部材である枠基体の分解斜視図である。
【図３】透明板保持枠を枠基体に取付けた状態での透明板保持枠を開放した状態を示す弾球遊技機の斜視図である。
【図４】上皿の分解斜視図である。
【図５】上皿を構成する皿部材の分解斜視図である。
【図６】下皿及び灰皿の分解斜視図である。
【図７】灰皿部分であって図１のＡ−Ａ線矢視断面図である。
【図８】（Ａ）（Ｂ）は、各々、灰皿の回転動作を示す説明図である。
【図９】透明板保持枠の正面から見た分解斜視図である。
【図１０】透明板保持枠の正面図である。
【図１１】透明板保持枠の背面図である。
【図１２】遊技盤及び機構板を取付けた状態での枠基体の背面図である。
【図１３】図１のＢ−Ｂ線矢視断面図である。
【図１４】図１のＣ−Ｃ線矢視断面図である。
【図１５】図１のＤ−Ｄ線矢視断面図である。
【図１６】遊技盤の正面図である。
【図１７】遊技盤に設けられる可変入賞球装置の正面から見た斜視図である。
【図１８】可変入賞球装置の正面図である。
【図１９】可変入賞球装置の中央部分での断面図である。
【符号の説明】
【００７３】
１  弾球遊技機
２  外枠
１０  枠基体
１１  開口部
４０  上皿
４１  取付基板
７０  圧電ブザー（報知音発生手段）
９５  玉貸スイッチ
１００  下皿
１１４  灰皿
１２０  ハンドル装置
１３０  透明板保持枠
１３３  遊技開口
１４０ａ，１４０ｂ  窓
１４１ａ，１４１ｂ  窓カバー部材
１５５  スピーカ（効果音発生手段）
１８０  機構板
２２０  遊技盤
２２８  誘導レール
２２９  遊技領域
２４０  可変入賞球装置
２４１  取付基板
２４３  開閉板
２４８ａ，２４８ｂ  第１の入賞口
２４９ａ，２４９ｂ  第２の入賞口
２５０ａ，２５０ｂ  通過間隔
２５１ａ，２５１ｂ  透過飾り板
２５３，２５５，２５７  飾りＬＥＤ
２５４ａ，２５４ｂ、２５６ａ，２５６ｂ  飾りレンズ部材
２６０，２６２  シール貼付台座
２６１  アミューズメントシール（証明手段）
２６３  証紙シール（証明手段）
２８０  カードユニット